(57)【要約】【課題】「ＳＲＶＣＣ」において、無駄なトラフィックの発生を回避すると共に、上述のＵＥ＃１の音声通信を適切に切り替える。【解決手段】本発明に係る移動通信システムは、ＵＥが、接続先無線アクセスネットワークを、Ｅ-ＵＴＲＡＮからＵＴＲＡＮ/ＧＥＲＡＮに切り替える工程と、ＭＭＥが、Ｓ-ＧＷから、音声通信用パケットベアラに対する「Ｄｅｌｅｔｅ  Ｂｅａｒｅｒ  Ｒｅｑｕｅｓｔ」を受信する工程と、ＭＭＥが、受信した「Ｄｅｌｅｔｅ  Ｂｅａｒｅｒ  Ｒｅｑｕｅｓｔ」内にコアベアラ切断フラグが設定されている場合、ＵＥ＃１又はＥ-ＵＴＲＡＮに対して、音声通信用パケットベアラを解放するように指示することなく、Ｓ-ＧＷに対して、「Ｄｅｌｅｔｅ  Ｂｅａｒｅｒ  Ｒｅｑｕｅｓｔ」に対する「Ｄｅｌｅｔｅ  Ｂｅａｒｅｒ  Ｒｅｓｐｏｎｓｅ」を送信する工程とを有する。【選択図】図３
2012080424.tif 000002
【特許請求の範囲】
【請求項１】
移動局を、回線交換通信をサポートしていない第１通信方式の無線アクセスネットワーク及び該第１通信方式の無線アクセスネットワークを収容する移動伝達ネットワークを介して音声通信用パケットベアラを用いて音声通信を行う状態から、回線交換通信をサポートしている第２通信方式の無線アクセスネットワーク及び該第２通信方式の無線アクセスネットワークを収容するコアネットワークを介して回線交換ベアラを用いて音声通信を行う状態に切り替える移動通信方法であって、
前記移動局が、接続先無線アクセスネットワークを、前記第１通信方式の無線アクセスネットワークから前記第２通信方式の無線アクセスネットワークに切り替える工程と、
前記移動伝達ノード内の移動管理ノードが、該移動伝達ノード内のサービングゲートウェイ装置から、前記音声通信用パケットベアラに対するベアラ削除要求信号を受信する工程と、
前記移動管理ノードが、受信した前記ベアラ削除要求信号内に所定フラグが設定されている場合、前記移動局又は前記第１通信方式の無線アクセスネットワークに対して、前記音声通信用パケットベアラを解放するように指示することなく、前記サービングゲートウェイ装置に対して、該ベアラ削除要求信号に対するベアラ削除応答信号を送信する工程とを有することを特徴とする移動通信方法。
【請求項２】
移動局を、回線交換通信をサポートしていない第１通信方式の無線アクセスネットワーク及び該第１通信方式の無線アクセスネットワークを収容する移動伝達ネットワークを介して音声通信用パケットベアラを用いて音声通信を行う状態から、回線交換通信をサポートしている第２通信方式の無線アクセスネットワーク及び該第２通信方式の無線アクセスネットワークを収容するコアネットワークを介して回線交換ベアラを用いて音声通信を行う状態に切り替える移動通信方法であって、
前記移動局が、接続先無線アクセスネットワークを、前記第１通信方式の無線アクセスネットワークから前記第２通信方式の無線アクセスネットワークに切り替える工程と、
前記移動伝達ノード内のサービングゲートウェイ装置が、該移動伝達ノード内のパケットデータネットワークゲートウェイ装置から、前記音声通信用パケットベアラに対するベアラ削除要求信号を受信する工程と、
前記サービングゲートウェイ装置が、受信した前記ベアラ削除要求信号内に所定フラグが設定されている場合、前記移動伝達ノード内の移動管理ノードに対して、前記音声通信用パケットベアラに対するベアラ削除要求信号を送信することなく、前記パケットデータネットワークゲートウェイ装置に対して、該ベアラ削除要求信号に対するベアラ削除応答信号を送信する工程とを有することを特徴とする移動通信方法。
【請求項３】
移動局を、回線交換通信をサポートしていない第１通信方式の無線アクセスネットワーク及び該第１通信方式の無線アクセスネットワークを収容する移動伝達ネットワークを介して音声通信用パケットベアラを用いて音声通信を行う状態から、回線交換通信をサポートしている第２通信方式の無線アクセスネットワーク及び該第２通信方式の無線アクセスネットワークを収容するコアネットワークを介して回線交換ベアラを用いて音声通信を行う状態に切り替える移動通信方法であって、
前記移動局が、接続先無線アクセスネットワークを、前記第１通信方式の無線アクセスネットワークから前記第２通信方式の無線アクセスネットワークに切り替える工程と、
前記移動伝達ノード内のサービングゲートウェイ装置が、該移動伝達ノード内のポリシー制御装置から、前記音声通信用パケットベアラに対するベアラ削除要求信号を受信する工程と、
前記サービングゲートウェイ装置が、受信した前記ベアラ削除要求信号内に所定フラグが設定されている場合、前記移動伝達ノード内の移動管理ノードに対して、前記音声通信用パケットベアラに対するベアラ削除要求信号を送信しない工程とを有することを特徴とする移動通信方法。
【請求項４】
移動局を、回線交換通信をサポートしていない第１通信方式の無線アクセスネットワーク及び該第１通信方式の無線アクセスネットワークを収容する移動伝達ネットワークを介して音声通信用パケットベアラを用いて音声通信を行う状態から、回線交換通信をサポートしている第２通信方式の無線アクセスネットワーク及び該第２通信方式の無線アクセスネットワークを収容するコアネットワークを介して回線交換ベアラを用いて音声通信を行う状態に切り替える移動通信方法であって、
前記移動局が、接続先の無線アクセスネットワークを、前記第１通信方式の無線アクセスネットワークから前記第２通信方式の無線アクセスネットワークに切り替える工程と、
前記移動伝達ノード内の移動管理ノードが、前記移動局における接続先無線アクセスネットワークの切り替えが行われたことを示す所定情報を記憶する工程と、
前記移動管理ノードが、前記移動伝達ノード内のサービングゲートウェイ装置から、前記音声通信用パケットベアラに対するベアラ削除要求信号を受信する工程と、
前記移動管理ノードが、前記所定情報を記憶している場合に、前記移動局又は前記第１通信方式の無線アクセスネットワークに対して、前記音声通信用パケットベアラを解放するように指示することなく、該サービングゲートウェイ装置に対して、該ベアラ削除要求信号に対するベアラ削除応答信号を送信する工程とを有することを特徴とする移動通信方法。
【請求項５】
移動局を、パケット交換ドメインにおいて音声通信用パケットベアラを用いて音声通信を行う状態から、回線交換ドメインにおいて回線交換ベアラを用いて音声通信を行う状態に切り替える移動通信方法であって、
前記移動局が、音声通信を行うドメインを、前記パケット交換ドメインから前記回線交換ドメインに切り替える工程と、
前記パケット交換ドメイン内のパケット交換機が、該パケット交換ドメイン内のサービングゲートウェイ装置から、前記音声通信用パケットベアラに対するベアラ削除要求信号を受信する工程と、
前記パケット交換機が、受信した前記ベアラ削除要求信号内に所定フラグが設定されている場合、前記移動局に対して、前記音声通信用パケットベアラを解放するように指示することなく、前記サービングゲートウェイ装置に対して、該ベアラ削除要求信号に対するベアラ削除応答信号を送信する工程とを有することを特徴とする移動通信方法。
【請求項６】
移動局を、パケット交換ドメインにおいて音声通信用パケットベアラを用いて音声通信を行う状態から、回線交換ドメインにおいて回線交換ベアラを用いて音声通信を行う状態に切り替える移動通信方法であって、
前記移動局が、音声通信を行うドメインを、前記パケット交換ドメインから前記回線交換ドメインに切り替える工程と、
前記パケット交換ドメイン内のサービングゲートウェイ装置が、該パケット交換ドメイン内のパケットデータネットワークゲートウェイ装置から、前記音声通信用パケットベアラに対するベアラ削除要求信号を受信する工程と、
前記サービングゲートウェイ装置が、受信した前記ベアラ削除要求信号内に所定フラグが設定されている場合、前記パケット交換ドメイン内のパケット交換機に対して、前記音声通信用パケットベアラに対するベアラ削除要求信号を送信することなく、前記パケットデータネットワークゲートウェイ装置に対して、該ベアラ削除要求信号に対するベアラ削除応答信号を送信する工程とを有することを特徴とする移動通信方法。
【請求項７】
移動局を、パケット交換ドメインにおいて音声通信用パケットベアラを用いて音声通信を行う状態から、回線交換ドメインにおいて回線交換ベアラを用いて音声通信を行う状態に切り替える移動通信方法であって、
前記移動局が、音声通信を行うドメインを、前記パケット交換ドメインから前記回線交換ドメインに切り替える工程と、
前記パケット交換ドメイン内のサービングゲートウェイ装置が、該パケット交換ドメイン内のポリシー制御装置から、前記音声通信用パケットベアラに対するベアラ削除要求信号を受信する工程と、
前記サービングゲートウェイ装置が、受信した前記ベアラ削除要求信号内に所定フラグが設定されている場合、前記パケット交換ドメイン内のパケット交換機に対して、前記音声通信用パケットベアラに対するベアラ削除要求信号を送信しない工程とを有することを特徴とする移動通信方法。
【請求項８】
移動局を、パケット交換ドメインにおいて音声通信用パケットベアラを用いて音声通信を行う状態から、回線交換ドメインにおいて回線交換ベアラを用いて音声通信を行う状態に切り替える移動通信方法であって、
前記移動局が、音声通信を行うドメインを、前記パケット交換ドメインから前記回線交換ドメインに切り替える工程と、
前記パケット交換ドメイン内のパケット交換機が、前記移動局において音声通信を行うドメインの切り替えが行われたことを示す所定情報を記憶する工程と、
前記パケット交換機が、前記パケット交換ドメイン内のサービングゲートウェイ装置から、前記音声通信用パケットベアラに対するベアラ削除要求信号を受信する工程と、
前記パケット交換機が、前記所定情報を記憶している場合に、前記移動局に対して、前記音声通信用パケットベアラを解放するように指示することなく、該サービングゲートウェイ装置に対して、該ベアラ削除要求信号に対するベアラ削除応答信号を送信する工程とを有することを特徴とする移動通信方法。
【請求項９】
移動局を、回線交換通信をサポートしていない第１通信方式の無線アクセスネットワーク及び該第１通信方式の無線アクセスネットワークを収容する移動伝達ネットワークを介して音声通信用パケットベアラを用いて音声通信を行う状態から、回線交換通信をサポートしている第２通信方式の無線アクセスネットワーク及び該第２通信方式の無線アクセスネットワークを収容するコアネットワークを介して回線交換ベアラを用いて音声通信を行う状態に切り替えることができるように構成されている移動通信システムにおいて、該移動伝達ノード内に設けられている移動管理ノードであって、
前記移動局が、接続先無線アクセスネットワークを、前記第１通信方式の無線アクセスネットワークから前記第２通信方式の無線アクセスネットワークに切り替えた後に、前記移動伝達ノード内のサービングゲートウェイ装置から、前記音声通信用パケットベアラに対するベアラ削除要求信号を受信するように構成されており、
受信した前記ベアラ削除要求信号内に所定フラグが設定されている場合、前記移動局又は前記第１通信方式の無線アクセスネットワークに対して、前記音声通信用パケットベアラを解放するように指示することなく、前記サービングゲートウェイ装置に対して、該ベアラ削除要求信号に対するベアラ削除応答信号を送信するように構成されていることを特徴とする移動管理ノード。
【請求項１０】
移動局を、回線交換通信をサポートしていない第１通信方式の無線アクセスネットワーク及び該第１通信方式の無線アクセスネットワークを収容する移動伝達ネットワークを介して音声通信用パケットベアラを用いて音声通信を行う状態から、回線交換通信をサポートしている第２通信方式の無線アクセスネットワーク及び該第２通信方式の無線アクセスネットワークを収容するコアネットワークを介して回線交換ベアラを用いて音声通信を行う状態に切り替えることができるように構成されている移動通信システムにおいて、該移動伝達ノード内に設けられているサービングゲートウェイ装置であって、
前記移動局が、接続先無線アクセスネットワークを、前記第１通信方式の無線アクセスネットワークから前記第２通信方式の無線アクセスネットワークに切り替えた後、前記移動伝達ノード内のパケットデータネットワークゲートウェイ装置から、前記音声通信用パケットベアラに対するベアラ削除要求信号を受信するように構成されており、
受信した前記ベアラ削除要求信号内に所定フラグが設定されている場合、前記移動伝達ノード内の移動管理ノードに対して、前記音声通信用パケットベアラに対するベアラ削除要求信号を送信することなく、前記パケットデータネットワークゲートウェイ装置に対して、該ベアラ削除要求信号に対するベアラ削除応答信号を送信するように構成されていることを特徴とするサービングゲートウェイ装置。
【請求項１１】
移動局を、回線交換通信をサポートしていない第１通信方式の無線アクセスネットワーク及び該第１通信方式の無線アクセスネットワークを収容する移動伝達ネットワークを介して音声通信用パケットベアラを用いて音声通信を行う状態から、回線交換通信をサポートしている第２通信方式の無線アクセスネットワーク及び該第２通信方式の無線アクセスネットワークを収容するコアネットワークを介して回線交換ベアラを用いて音声通信を行う状態に切り替えることができるように構成されている移動通信システムにおいて、該移動伝達ノード内に設けられているサービングゲートウェイ装置であって、
前記移動局が、接続先無線アクセスネットワークを、前記第１通信方式の無線アクセスネットワークから前記第２通信方式の無線アクセスネットワークに切り替えた後、前記移動伝達ノード内のポリシー制御装置から、前記音声通信用パケットベアラに対するベアラ削除要求信号を受信するように構成されており、
受信した前記ベアラ削除要求信号内に所定フラグが設定されている場合、前記移動伝達ノード内の移動管理ノードに対して、前記音声通信用パケットベアラに対するベアラ削除要求信号を送信しないように構成されていることを特徴とするサービングゲートウェイ装置。
【請求項１２】
移動局を、回線交換通信をサポートしていない第１通信方式の無線アクセスネットワーク及び該第１通信方式の無線アクセスネットワークを収容する移動伝達ネットワークを介して音声通信用パケットベアラを用いて音声通信を行う状態から、回線交換通信をサポートしている第２通信方式の無線アクセスネットワーク及び該第２通信方式の無線アクセスネットワークを収容するコアネットワークを介して回線交換ベアラを用いて音声通信を行う状態に切り替えることができるように構成されている移動通信システムにおいて、該移動伝達ノード内に設けられているパケットデータネットワークゲートウェイ装置であって、
前記移動局が、接続先の無線アクセスネットワークを、前記第１通信方式の無線アクセスネットワークから前記第２通信方式の無線アクセスネットワークに切り替えた後、前記音声通信用パケットベアラに対するベアラ削除要求信号に所定フラグを設定して、前記移動伝達ノード内の移動管理ノードに対して送信するように構成されていることを特徴とするパケットデータネットワークゲートウェイ装置。
【請求項１３】
移動局を、回線交換通信をサポートしていない第１通信方式の無線アクセスネットワーク及び該第１通信方式の無線アクセスネットワークを収容する移動伝達ネットワークを介して音声通信用パケットベアラを用いて音声通信を行う状態から、回線交換通信をサポートしている第２通信方式の無線アクセスネットワーク及び該第２通信方式の無線アクセスネットワークを収容するコアネットワークを介して回線交換ベアラを用いて音声通信を行う状態に切り替えることができるように構成されている移動通信システムにおいて、該移動伝達ノード内に設けられているポリシー制御装置であって、
前記移動局が、接続先の無線アクセスネットワークを、前記第１通信方式の無線アクセスネットワークから前記第２通信方式の無線アクセスネットワークに切り替えた後、前記音声通信用パケットベアラに対するベアラ削除要求信号に所定フラグを設定して、前記移動伝達ノード内の移動管理ノードに対して送信するように構成されていることを特徴とするポリシー制御装置。
【請求項１４】
移動局を、回線交換通信をサポートしていない第１通信方式の無線アクセスネットワーク及び該第１通信方式の無線アクセスネットワークを収容する移動伝達ネットワークを介して音声通信用パケットベアラを用いて音声通信を行う状態から、回線交換通信をサポートしている第２通信方式の無線アクセスネットワーク及び該第２通信方式の無線アクセスネットワークを収容するコアネットワークを介して回線交換ベアラを用いて音声通信を行う状態に切り替えることができるように構成されている移動通信システムにおいて、該移動伝達ノード内に設けられている移動管理ノードであって、
前記移動局が、接続先の無線アクセスネットワークを、前記第１通信方式の無線アクセスネットワークから前記第２通信方式の無線アクセスネットワークに切り替えた後、該移動局における接続先無線アクセスネットワークの切り替えが行われたことを示す所定情報を記憶するように構成されており、
前記移動伝達ノード内のサービングゲートウェイ装置から、前記音声通信用パケットベアラに対するベアラ削除要求信号を受信した際に、前記所定情報を記憶している場合には、前記移動局又は前記第１通信方式の無線アクセスネットワークに対して、前記音声通信用パケットベアラを解放するように指示することなく、該サービングゲートウェイ装置に対して、該ベアラ削除要求信号に対するベアラ削除応答信号を送信するように構成されていることを特徴とする移動管理ノード。
【請求項１５】
移動局を、パケット交換ドメインにおいて音声通信用パケットベアラを用いて音声通信を行う状態から、回線交換ドメインにおいて回線交換ベアラを用いて音声通信を行う状態に切り替えることができるように構成されている移動通信システムにおいて、該パケット交換ドメイン内に設けられているパケット交換機であって、
前記移動局が、音声通信を行うドメインを、前記パケット交換ドメインから前記回線交換ドメインに切り替えた後、該パケット交換ドメイン内のサービングゲートウェイ装置から、前記音声通信用パケットベアラに対するベアラ削除要求信号を受信するように構成されており、
受信した前記ベアラ削除要求信号内に所定フラグが設定されている場合、前記移動局に対して、前記音声通信用パケットベアラを解放するように指示することなく、前記サービングゲートウェイ装置に対して、該ベアラ削除要求信号に対するベアラ削除応答信号を送信するように構成されていることを特徴とするパケット交換機。
【請求項１６】
移動局を、パケット交換ドメインにおいて音声通信用パケットベアラを用いて音声通信を行う状態から、回線交換ドメインにおいて回線交換ベアラを用いて音声通信を行う状態に切り替えることができるように構成されている移動通信システムにおいて、該パケット交換ドメイン内に設けられているサービングゲートウェイ装置であって、
前記移動局が、音声通信を行うドメインを、前記パケット交換ドメインから前記回線交換ドメインに切り替えた後、前記パケット交換ドメイン内のパケットデータネットワークゲートウェイ装置から、前記音声通信用パケットベアラに対するベアラ削除要求信号を受信するように構成されており、
受信した前記ベアラ削除要求信号内に所定フラグが設定されている場合、前記パケット交換ドメイン内のパケット交換機に対して、前記音声通信用パケットベアラに対するベアラ削除要求信号を送信することなく、前記パケットデータネットワークゲートウェイ装置に対して、該ベアラ削除要求信号に対するベアラ削除応答信号を送信するように構成されていることを特徴とするサービングゲートウェイ装置。
【請求項１７】
移動局を、パケット交換ドメインにおいて音声通信用パケットベアラを用いて音声通信を行う状態から、回線交換ドメインにおいて回線交換ベアラを用いて音声通信を行う状態に切り替えることができるように構成されている移動通信システムにおいて、該パケット交換ドメイン内に設けられているサービングゲートウェイ装置であって、
前記移動局が、音声通信を行うドメインを、前記パケット交換ドメインから前記回線交換ドメインに切り替えた後、前記パケット交換ドメイン内のポリシー制御装置から、前記音声通信用パケットベアラに対するベアラ削除要求信号を受信するように構成されており、
受信した前記ベアラ削除要求信号内に所定フラグが設定されている場合、前記パケット交換ドメイン内のパケット交換機に対して、前記音声通信用パケットベアラに対するベアラ削除要求信号を送信しないように構成されていることを特徴とするサービングゲートウェイ装置。
【請求項１８】
移動局を、パケット交換ドメインにおいて音声通信用パケットベアラを用いて音声通信を行う状態から、回線交換ドメインにおいて回線交換ベアラを用いて音声通信を行う状態に切り替えることができるように構成されている移動通信システムにおいて、該パケット交換ドメイン内に設けられているパケットデータネットワークゲートウェイ装置であって、
前記移動局が、音声通信を行うドメインを、前記パケット交換ドメインから前記回線交換ドメインに切り替えた後、前記音声通信用パケットベアラに対するベアラ削除要求信号に所定フラグを設定して、前記パケット交換ドメイン内のパケット交換機に対して送信するように構成されていることを特徴とするパケットデータネットワークゲートウェイ装置。
【請求項１９】
移動局を、パケット交換ドメインにおいて音声通信用パケットベアラを用いて音声通信を行う状態から、回線交換ドメインにおいて回線交換ベアラを用いて音声通信を行う状態に切り替えることができるように構成されている移動通信システムにおいて、該パケット交換ドメイン内に設けられているポリシー制御装置であって、
前記移動局が、音声通信を行うドメインを、前記パケット交換ドメインから前記回線交換ドメインに切り替えた後、前記音声通信用パケットベアラに対するベアラ削除要求信号に所定フラグを設定して、前記パケット交換ドメイン内のパケット交換機に対して送信するように構成されていることを特徴とするポリシー制御装置。
【請求項２０】
移動局を、パケット交換ドメインにおいて音声通信用パケットベアラを用いて音声通信を行う状態から、回線交換ドメインにおいて回線交換ベアラを用いて音声通信を行う状態に切り替えることができるように構成されている移動通信システムにおいて、該パケット交換ドメイン内に設けられているパケット交換機であって、
前記移動局が、音声通信を行うドメインを、前記パケット交換ドメインから前記回線交換ドメインに切り替えた後、該移動局において音声通信を行うドメインの切り替えが行われたことを示す所定情報を記憶するように構成されており、
前記パケット交換ドメイン内のサービングゲートウェイ装置から、前記音声通信用パケットベアラに対するベアラ削除要求信号を受信した際に、前記所定情報を記憶している場合には、前記移動局に対して、前記音声通信用パケットベアラを解放するように指示することなく、該サービングゲートウェイ装置に対して、該ベアラ削除要求信号に対するベアラ削除応答信号を送信するように構成されていることを特徴とするパケット交換機。
【請求項２１】
移動伝達ネットワークに対して、所定パケットベアラに対するベアラ削除指示信号を送信するように構成されており、
受信した前記所定パケットベアラに対するベアラ削除要求信号内に所定フラグが設定されている場合、移動局又は無線アクセスネットワークに対して、該所定パケットベアラを解放するように指示しないように構成されていることを特徴とする移動管理ノード。
【請求項２２】
コアネットワークに対して、所定パケットベアラに対するベアラ削除指示信号を送信するように構成されており、
受信した前記所定パケットベアラに対するベアラ削除要求信号内に所定フラグが設定されている場合、移動局又は無線アクセスネットワークに対して、該所定パケットベアラを解放するように指示しないように構成されていることを特徴とするパケット交換局。
【発明の詳細な説明】
【技術分野】
【０００１】
本発明は、移動通信方法、移動管理ノード、サービングゲートウェイ装置、パケットデータネットワークゲートウェイ装置、ポリシー制御装置及びパケット交換機に関する。
【背景技術】
【０００２】
従来、２Ｇ/３Ｇ方式の無線アクセスシステム（ＵＴＲＡＮ：Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ/ＧＥＲＡＮ：ＧＳＭ  ＥＤＧＥ  Ｒａｄｉｏ  Ａｃｃｅｓｓ  Ｎｅｔｗｏｒｋ）及びＬＴＥ（Ｌｏｎｇ  Ｔｅｒｍ  Ｅｖｏｌｕｔｉｏｎ）方式の無線アクセスシステム（Ｅ-ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）を収容可能な移動通信システムが知られている。
【０００３】
かかる移動通信システムにおいて、ＵＥ（Ｕｓｅｒ  Ｅｑｕｉｐｍｅｎｔ、移動局）＃１を、ＰＳ（Ｐａｃｋｅｔ  Ｓｗｉｔｃｈ、パケット交換）ドメインにおいて音声通信用パケットベアラを用いて音声通信を行う状態（ＩＭＳ（ＩＰ  Ｍｕｌｔｉｍｅｄｉａ  Ｓｕｂｓｙｓｔｅｍ、サービス制御ネットワーク）を用いてＶｏＩＰ通信を行う状態）から、ＣＳ（Ｃｉｒｓｕｉｔ  Ｓｗｉｔｃｈ、回線交換）ドメインにおいて回線交換ベアラを用いて音声通信を行う状態に切り替えることによって、ＵＥ＃１の音声通信を継続可能とする技術、すなわち、「ＳＲＶＣＣ（Ｓｉｎｇｌｅ  Ｒａｄｉｏ  Ｖｏｉｃｅ  Ｃａｌｌ  Ｃｏｎｔｉｎｕｉｔｙ）」が知られている（非特許文献１参照）。図２に、かかる移動通信システムにおいて音声通信を切り替える際の動作について示す。
【先行技術文献】
【非特許文献】
【０００４】
【非特許文献１】３ＧＰＰ  ＴＳ２３.２１６
【発明の概要】
【発明が解決しようとする課題】
【０００５】
ここで、かかる動作は、「３ＧＰＰ  ＴＳ２３.２１６の図６.２.２.２-１或いは図６.３.２.２-１」の動作であるが、かかる動作において、ＵＥ＃１の接続先無線アクセスネットワークがＵＴＲＡＮ/ＧＥＲＡＮに切り替わった後、ＰＳドメインにおける音声通信用パケットベアラを切断する手順として、図８に示すように、ステップＳ１００５において、ＭＭＥ（Ｍｏｂｉｌｉｔｙ  Ｍａｎａｇｅｍｅｎｔ  Ｅｎｔｉｔｙ、移動管理ノード）が、Ｓ-ＧＷ（Ｓｅｒｖｉｎｇ-Ｇａｔｅｗａｙ、サービングゲートウェイ装置）から「Ｄｅｌｅｔｅ  Ｂｅａｒｅｒ  Ｒｅｑｕｅｓｔ」を受信すると、ステップＳ１００６（Ｓ１００６ａ乃至Ｓ１００６ｉ）の動作が行われる（３ＧＰＰ  ＴＳ２３.４０１の図５.４.４.１-１のステップ４〜７参照）。
【０００６】
しかしながら、ＵＥ＃１の接続先無線アクセスネットワークは、図２に示すステップＳ１１５において、ＵＴＲＡＮ/ＧＥＲＡＮに切り替わってしまっているため、図８に示すステップＳ１００６ｂにおいて、ｅＮＢ（無線基地局）によって送信された「ＲＲＣ  Ｃｏｎｎｅｃｔｉｏｎ  Ｒｅｃｏｎｆｉｇｒａｔｉｏｎ」は、ＵＥ＃１によって受信されず、ステップＳ１００６の動作がエラー処理になってしまい、無駄なトラフィックが発生してしまうと共に、図２に示す動作自体がエラーになってしまう可能性があるという問題点があった。
【０００７】
そこで、本発明は、上述の課題に鑑みてなされたものであり、「ＳＲＶＣＣ」において、無駄なトラフィックの発生を回避すると共に、上述のＵＥ＃１の音声通信を適切に切り替えることができる移動通信方法、移動管理ノード、サービングゲートウェイ装置、パケットデータネットワークゲートウェイ装置、ポリシー制御装置及びパケット交換機を提供することを目的とする。
【課題を解決するための手段】
【０００８】
本発明の第１の特徴は、移動局を、回線交換通信をサポートしていない第１通信方式の無線アクセスネットワーク及び該第１通信方式の無線アクセスネットワークを収容する移動伝達ネットワークを介して音声通信用パケットベアラを用いて音声通信を行う状態から、回線交換通信をサポートしている第２通信方式の無線アクセスネットワーク及び該第２通信方式の無線アクセスネットワークを収容するコアネットワークを介して回線交換ベアラを用いて音声通信を行う状態に切り替える移動通信方法であって、前記移動局が、接続先無線アクセスネットワークを、前記第１通信方式の無線アクセスネットワークから前記第２通信方式の無線アクセスネットワークに切り替える工程と、前記移動伝達ノード内の移動管理ノードが、該移動伝達ノード内のサービングゲートウェイ装置から、前記音声通信用パケットベアラに対するベアラ削除要求信号を受信する工程と、前記移動管理ノードが、受信した前記ベアラ削除要求信号内に所定フラグが設定されている場合、前記移動局又は前記第１通信方式の無線アクセスネットワークに対して、前記音声通信用パケットベアラを解放するように指示することなく、前記サービングゲートウェイ装置に対して、該ベアラ削除要求信号に対するベアラ削除応答信号を送信する工程とを有することを要旨とする。
【０００９】
本発明の第２の特徴は、移動局を、回線交換通信をサポートしていない第１通信方式の無線アクセスネットワーク及び該第１通信方式の無線アクセスネットワークを収容する移動伝達ネットワークを介して音声通信用パケットベアラを用いて音声通信を行う状態から、回線交換通信をサポートしている第２通信方式の無線アクセスネットワーク及び該第２通信方式の無線アクセスネットワークを収容するコアネットワークを介して回線交換ベアラを用いて音声通信を行う状態に切り替える移動通信方法であって、前記移動局が、接続先無線アクセスネットワークを、前記第１通信方式の無線アクセスネットワークから前記第２通信方式の無線アクセスネットワークに切り替える工程と、前記移動伝達ノード内のサービングゲートウェイ装置が、該移動伝達ノード内のパケットデータネットワークゲートウェイ装置から、前記音声通信用パケットベアラに対するベアラ削除要求信号を受信する工程と、前記サービングゲートウェイ装置が、受信した前記ベアラ削除要求信号内に所定フラグが設定されている場合、前記移動伝達ノード内の移動管理ノードに対して、前記音声通信用パケットベアラに対するベアラ削除要求信号を送信することなく、前記パケットデータネットワークゲートウェイ装置に対して、該ベアラ削除要求信号に対するベアラ削除応答信号を送信する工程とを有することを要旨とする。
【００１０】
本発明の第３の特徴は、移動局を、回線交換通信をサポートしていない第１通信方式の無線アクセスネットワーク及び該第１通信方式の無線アクセスネットワークを収容する移動伝達ネットワークを介して音声通信用パケットベアラを用いて音声通信を行う状態から、回線交換通信をサポートしている第２通信方式の無線アクセスネットワーク及び該第２通信方式の無線アクセスネットワークを収容するコアネットワークを介して回線交換ベアラを用いて音声通信を行う状態に切り替える移動通信方法であって、前記移動局が、接続先無線アクセスネットワークを、前記第１通信方式の無線アクセスネットワークから前記第２通信方式の無線アクセスネットワークに切り替える工程と、前記移動伝達ノード内のサービングゲートウェイ装置が、該移動伝達ノード内のポリシー制御装置から、前記音声通信用パケットベアラに対するベアラ削除要求信号を受信する工程と、前記サービングゲートウェイ装置が、受信した前記ベアラ削除要求信号内に所定フラグが設定されている場合、前記移動伝達ノード内の移動管理ノードに対して、前記音声通信用パケットベアラに対するベアラ削除要求信号を送信しない工程とを有することを要旨とする。
【００１１】
本発明の第４の特徴は、移動局を、回線交換通信をサポートしていない第１通信方式の無線アクセスネットワーク及び該第１通信方式の無線アクセスネットワークを収容する移動伝達ネットワークを介して音声通信用パケットベアラを用いて音声通信を行う状態から、回線交換通信をサポートしている第２通信方式の無線アクセスネットワーク及び該第２通信方式の無線アクセスネットワークを収容するコアネットワークを介して回線交換ベアラを用いて音声通信を行う状態に切り替える移動通信方法であって、前記移動局が、接続先の無線アクセスネットワークを、前記第１通信方式の無線アクセスネットワークから前記第２通信方式の無線アクセスネットワークに切り替える工程と、前記移動伝達ノード内の移動管理ノードが、前記移動局における接続先無線アクセスネットワークの切り替えが行われたことを示す所定情報を記憶する工程と、前記移動管理ノードが、前記移動伝達ノード内のサービングゲートウェイ装置から、前記音声通信用パケットベアラに対するベアラ削除要求信号を受信する工程と、前記移動管理ノードが、前記所定情報を記憶している場合に、前記移動局又は前記第１通信方式の無線アクセスネットワークに対して、前記音声通信用パケットベアラを解放するように指示することなく、該サービングゲートウェイ装置に対して、該ベアラ削除要求信号に対するベアラ削除応答信号を送信する工程とを有することを要旨とする。
【００１２】
本発明の第５の特徴は、移動局を、パケット交換ドメインにおいて音声通信用パケットベアラを用いて音声通信を行う状態から、回線交換ドメインにおいて回線交換ベアラを用いて音声通信を行う状態に切り替える移動通信方法であって、
前記移動局が、音声通信を行うドメインを、前記パケット交換ドメインから前記回線交換ドメインに切り替える工程と、前記パケット交換ドメイン内のパケット交換機が、該パケット交換ドメイン内のサービングゲートウェイ装置から、前記音声通信用パケットベアラに対するベアラ削除要求信号を受信する工程と、前記パケット交換機が、受信した前記ベアラ削除要求信号内に所定フラグが設定されている場合、前記移動局に対して、前記音声通信用パケットベアラを解放するように指示することなく、前記サービングゲートウェイ装置に対して、該ベアラ削除要求信号に対するベアラ削除応答信号を送信する工程とを有することを要旨とする。
【００１３】
本発明の第６の特徴は、移動局を、パケット交換ドメインにおいて音声通信用パケットベアラを用いて音声通信を行う状態から、回線交換ドメインにおいて回線交換ベアラを用いて音声通信を行う状態に切り替える移動通信方法であって、前記移動局が、音声通信を行うドメインを、前記パケット交換ドメインから前記回線交換ドメインに切り替える工程と、前記パケット交換ドメイン内のサービングゲートウェイ装置が、該パケット交換ドメイン内のパケットデータネットワークゲートウェイ装置から、前記音声通信用パケットベアラに対するベアラ削除要求信号を受信する工程と、前記サービングゲートウェイ装置が、受信した前記ベアラ削除要求信号内に所定フラグが設定されている場合、前記パケット交換ドメイン内のパケット交換機に対して、前記音声通信用パケットベアラに対するベアラ削除要求信号を送信することなく、前記パケットデータネットワークゲートウェイ装置に対して、該ベアラ削除要求信号に対するベアラ削除応答信号を送信する工程とを有することを要旨とする。
【００１４】
本発明の第７の特徴は、移動局を、パケット交換ドメインにおいて音声通信用パケットベアラを用いて音声通信を行う状態から、回線交換ドメインにおいて回線交換ベアラを用いて音声通信を行う状態に切り替える移動通信方法であって、
前記移動局が、音声通信を行うドメインを、前記パケット交換ドメインから前記回線交換ドメインに切り替える工程と、前記パケット交換ドメイン内のサービングゲートウェイ装置が、該パケット交換ドメイン内のポリシー制御装置から、前記音声通信用パケットベアラに対するベアラ削除要求信号を受信する工程と、前記サービングゲートウェイ装置が、受信した前記ベアラ削除要求信号内に所定フラグが設定されている場合、前記パケット交換ドメイン内のパケット交換機に対して、前記音声通信用パケットベアラに対するベアラ削除要求信号を送信しない工程とを有することを要旨とする。
【００１５】
本発明の第８の特徴は、移動局を、パケット交換ドメインにおいて音声通信用パケットベアラを用いて音声通信を行う状態から、回線交換ドメインにおいて回線交換ベアラを用いて音声通信を行う状態に切り替える移動通信方法であって、
前記移動局が、音声通信を行うドメインを、前記パケット交換ドメインから前記回線交換ドメインに切り替える工程と、前記パケット交換ドメイン内のパケット交換機が、前記移動局において音声通信を行うドメインの切り替えが行われたことを示す所定情報を記憶する工程と、前記パケット交換機が、前記パケット交換ドメイン内のサービングゲートウェイ装置から、前記音声通信用パケットベアラに対するベアラ削除要求信号を受信する工程と、前記パケット交換機が、前記所定情報を記憶している場合に、前記移動局に対して、前記音声通信用パケットベアラを解放するように指示することなく、該サービングゲートウェイ装置に対して、該ベアラ削除要求信号に対するベアラ削除応答信号を送信する工程とを有することを要旨とする。
【００１６】
本発明の第９の特徴は、移動局を、回線交換通信をサポートしていない第１通信方式の無線アクセスネットワーク及び該第１通信方式の無線アクセスネットワークを収容する移動伝達ネットワークを介して音声通信用パケットベアラを用いて音声通信を行う状態から、回線交換通信をサポートしている第２通信方式の無線アクセスネットワーク及び該第２通信方式の無線アクセスネットワークを収容するコアネットワークを介して回線交換ベアラを用いて音声通信を行う状態に切り替えることができるように構成されている移動通信システムにおいて、該移動伝達ノード内に設けられている移動管理ノードであって、前記移動局が、接続先無線アクセスネットワークを、前記第１通信方式の無線アクセスネットワークから前記第２通信方式の無線アクセスネットワークに切り替えた後に、前記移動伝達ノード内のサービングゲートウェイ装置から、前記音声通信用パケットベアラに対するベアラ削除要求信号を受信するように構成されており、受信した前記ベアラ削除要求信号内に所定フラグが設定されている場合、前記移動局又は前記第１通信方式の無線アクセスネットワークに対して、前記音声通信用パケットベアラを解放するように指示することなく、前記サービングゲートウェイ装置に対して、該ベアラ削除要求信号に対するベアラ削除応答信号を送信するように構成されていることを要旨とする。
【００１７】
本発明の第１０の特徴は、移動局を、回線交換通信をサポートしていない第１通信方式の無線アクセスネットワーク及び該第１通信方式の無線アクセスネットワークを収容する移動伝達ネットワークを介して音声通信用パケットベアラを用いて音声通信を行う状態から、回線交換通信をサポートしている第２通信方式の無線アクセスネットワーク及び該第２通信方式の無線アクセスネットワークを収容するコアネットワークを介して回線交換ベアラを用いて音声通信を行う状態に切り替えることができるように構成されている移動通信システムにおいて、該移動伝達ノード内に設けられているサービングゲートウェイ装置であって、前記移動局が、接続先無線アクセスネットワークを、前記第１通信方式の無線アクセスネットワークから前記第２通信方式の無線アクセスネットワークに切り替えた後、前記移動伝達ノード内のパケットデータネットワークゲートウェイ装置から、前記音声通信用パケットベアラに対するベアラ削除要求信号を受信するように構成されており、受信した前記ベアラ削除要求信号内に所定フラグが設定されている場合、前記移動伝達ノード内の移動管理ノードに対して、前記音声通信用パケットベアラに対するベアラ削除要求信号を送信することなく、前記パケットデータネットワークゲートウェイ装置に対して、該ベアラ削除要求信号に対するベアラ削除応答信号を送信するように構成されていることを要旨とする。
【００１８】
本発明の第１１の特徴は、移動局を、回線交換通信をサポートしていない第１通信方式の無線アクセスネットワーク及び該第１通信方式の無線アクセスネットワークを収容する移動伝達ネットワークを介して音声通信用パケットベアラを用いて音声通信を行う状態から、回線交換通信をサポートしている第２通信方式の無線アクセスネットワーク及び該第２通信方式の無線アクセスネットワークを収容するコアネットワークを介して回線交換ベアラを用いて音声通信を行う状態に切り替えることができるように構成されている移動通信システムにおいて、該移動伝達ノード内に設けられているサービングゲートウェイ装置であって、前記移動局が、接続先無線アクセスネットワークを、前記第１通信方式の無線アクセスネットワークから前記第２通信方式の無線アクセスネットワークに切り替えた後、前記移動伝達ノード内のポリシー制御装置から、前記音声通信用パケットベアラに対するベアラ削除要求信号を受信するように構成されており、受信した前記ベアラ削除要求信号内に所定フラグが設定されている場合、前記移動伝達ノード内の移動管理ノードに対して、前記音声通信用パケットベアラに対するベアラ削除要求信号を送信しないように構成されていることを要旨とする。
【００１９】
本発明の第１２の特徴は、移動局を、回線交換通信をサポートしていない第１通信方式の無線アクセスネットワーク及び該第１通信方式の無線アクセスネットワークを収容する移動伝達ネットワークを介して音声通信用パケットベアラを用いて音声通信を行う状態から、回線交換通信をサポートしている第２通信方式の無線アクセスネットワーク及び該第２通信方式の無線アクセスネットワークを収容するコアネットワークを介して回線交換ベアラを用いて音声通信を行う状態に切り替えることができるように構成されている移動通信システムにおいて、該移動伝達ノード内に設けられているパケットデータネットワークゲートウェイ装置であって、前記移動局が、接続先の無線アクセスネットワークを、前記第１通信方式の無線アクセスネットワークから前記第２通信方式の無線アクセスネットワークに切り替えた後、前記音声通信用パケットベアラに対するベアラ削除要求信号に所定フラグを設定して、前記移動伝達ノード内の移動管理ノードに対して送信するように構成されていることを要旨とする。
【００２０】
本発明の第１３の特徴は、移動局を、回線交換通信をサポートしていない第１通信方式の無線アクセスネットワーク及び該第１通信方式の無線アクセスネットワークを収容する移動伝達ネットワークを介して音声通信用パケットベアラを用いて音声通信を行う状態から、回線交換通信をサポートしている第２通信方式の無線アクセスネットワーク及び該第２通信方式の無線アクセスネットワークを収容するコアネットワークを介して回線交換ベアラを用いて音声通信を行う状態に切り替えることができるように構成されている移動通信システムにおいて、該移動伝達ノード内に設けられているポリシー制御装置であって、前記移動局が、接続先の無線アクセスネットワークを、前記第１通信方式の無線アクセスネットワークから前記第２通信方式の無線アクセスネットワークに切り替えた後、前記音声通信用パケットベアラに対するベアラ削除要求信号に所定フラグを設定して、前記移動伝達ノード内の移動管理ノードに対して送信するように構成されていることを要旨とする。
【００２１】
本発明の第１４の特徴は、移動局を、回線交換通信をサポートしていない第１通信方式の無線アクセスネットワーク及び該第１通信方式の無線アクセスネットワークを収容する移動伝達ネットワークを介して音声通信用パケットベアラを用いて音声通信を行う状態から、回線交換通信をサポートしている第２通信方式の無線アクセスネットワーク及び該第２通信方式の無線アクセスネットワークを収容するコアネットワークを介して回線交換ベアラを用いて音声通信を行う状態に切り替えることができるように構成されている移動通信システムにおいて、該移動伝達ノード内に設けられている移動管理ノードであって、前記移動局が、接続先の無線アクセスネットワークを、前記第１通信方式の無線アクセスネットワークから前記第２通信方式の無線アクセスネットワークに切り替えた後、該移動局における接続先無線アクセスネットワークの切り替えが行われたことを示す所定情報を記憶するように構成されており、前記移動伝達ノード内のサービングゲートウェイ装置から、前記音声通信用パケットベアラに対するベアラ削除要求信号を受信した際に、前記所定情報を記憶している場合には、前記移動局又は前記第１通信方式の無線アクセスネットワークに対して、前記音声通信用パケットベアラを解放するように指示することなく、該サービングゲートウェイ装置に対して、該ベアラ削除要求信号に対するベアラ削除応答信号を送信するように構成されていることを要旨とする。
【００２２】
本発明の第１５の特徴は、移動局を、パケット交換ドメインにおいて音声通信用パケットベアラを用いて音声通信を行う状態から、回線交換ドメインにおいて回線交換ベアラを用いて音声通信を行う状態に切り替えることができるように構成されている移動通信システムにおいて、該パケット交換ドメイン内に設けられているパケット交換機であって、前記移動局が、音声通信を行うドメインを、前記パケット交換ドメインから前記回線交換ドメインに切り替えた後、該パケット交換ドメイン内のサービングゲートウェイ装置から、前記音声通信用パケットベアラに対するベアラ削除要求信号を受信するように構成されており、受信した前記ベアラ削除要求信号内に所定フラグが設定されている場合、前記移動局に対して、前記音声通信用パケットベアラを解放するように指示することなく、前記サービングゲートウェイ装置に対して、該ベアラ削除要求信号に対するベアラ削除応答信号を送信するように構成されていることを要旨とする。
【００２３】
本発明の第１６の特徴は、移動局を、パケット交換ドメインにおいて音声通信用パケットベアラを用いて音声通信を行う状態から、回線交換ドメインにおいて回線交換ベアラを用いて音声通信を行う状態に切り替えることができるように構成されている移動通信システムにおいて、該パケット交換ドメイン内に設けられているサービングゲートウェイ装置であって、前記移動局が、音声通信を行うドメインを、前記パケット交換ドメインから前記回線交換ドメインに切り替えた後、前記パケット交換ドメイン内のパケットデータネットワークゲートウェイ装置から、前記音声通信用パケットベアラに対するベアラ削除要求信号を受信するように構成されており、受信した前記ベアラ削除要求信号内に所定フラグが設定されている場合、前記パケット交換ドメイン内のパケット交換機に対して、前記音声通信用パケットベアラに対するベアラ削除要求信号を送信することなく、前記パケットデータネットワークゲートウェイ装置に対して、該ベアラ削除要求信号に対するベアラ削除応答信号を送信するように構成されていることを要旨とする。
【００２４】
本発明の第１７の特徴は、移動局を、パケット交換ドメインにおいて音声通信用パケットベアラを用いて音声通信を行う状態から、回線交換ドメインにおいて回線交換ベアラを用いて音声通信を行う状態に切り替えることができるように構成されている移動通信システムにおいて、該パケット交換ドメイン内に設けられているサービングゲートウェイ装置であって、前記移動局が、音声通信を行うドメインを、前記パケット交換ドメインから前記回線交換ドメインに切り替えた後、前記パケット交換ドメイン内のポリシー制御装置から、前記音声通信用パケットベアラに対するベアラ削除要求信号を受信するように構成されており、受信した前記ベアラ削除要求信号内に所定フラグが設定されている場合、前記パケット交換ドメイン内のパケット交換機に対して、前記音声通信用パケットベアラに対するベアラ削除要求信号を送信しないように構成されていることを要旨とする。
【００２５】
本発明の第１８の特徴は、移動局を、パケット交換ドメインにおいて音声通信用パケットベアラを用いて音声通信を行う状態から、回線交換ドメインにおいて回線交換ベアラを用いて音声通信を行う状態に切り替えることができるように構成されている移動通信システムにおいて、該パケット交換ドメイン内に設けられているパケットデータネットワークゲートウェイ装置であって、前記移動局が、音声通信を行うドメインを、前記パケット交換ドメインから前記回線交換ドメインに切り替えた後、前記音声通信用パケットベアラに対するベアラ削除要求信号に所定フラグを設定して、前記パケット交換ドメイン内のパケット交換機に対して送信するように構成されていることを要旨とする。
【００２６】
本発明の第１９の特徴は、移動局を、パケット交換ドメインにおいて音声通信用パケットベアラを用いて音声通信を行う状態から、回線交換ドメインにおいて回線交換ベアラを用いて音声通信を行う状態に切り替えることができるように構成されている移動通信システムにおいて、該パケット交換ドメイン内に設けられているポリシー制御装置であって、前記移動局が、音声通信を行うドメインを、前記パケット交換ドメインから前記回線交換ドメインに切り替えた後、前記音声通信用パケットベアラに対するベアラ削除要求信号に所定フラグを設定して、前記パケット交換ドメイン内のパケット交換機に対して送信するように構成されていることを要旨とする。
【００２７】
本発明の第２０の特徴は、移動局を、パケット交換ドメインにおいて音声通信用パケットベアラを用いて音声通信を行う状態から、回線交換ドメインにおいて回線交換ベアラを用いて音声通信を行う状態に切り替えることができるように構成されている移動通信システムにおいて、該パケット交換ドメイン内に設けられているパケット交換機であって、前記移動局が、音声通信を行うドメインを、前記パケット交換ドメインから前記回線交換ドメインに切り替えた後、該移動局において音声通信を行うドメインの切り替えが行われたことを示す所定情報を記憶するように構成されており、前記パケット交換ドメイン内のサービングゲートウェイ装置から、前記音声通信用パケットベアラに対するベアラ削除要求信号を受信した際に、前記所定情報を記憶している場合には、前記移動局に対して、前記音声通信用パケットベアラを解放するように指示することなく、該サービングゲートウェイ装置に対して、該ベアラ削除要求信号に対するベアラ削除応答信号を送信するように構成されていることを要旨とする。
【００２８】
本発明の第２１の特徴は、移動管理ノードであって、移動伝達ネットワークに対して、所定パケットベアラに対するベアラ削除指示信号を送信するように構成されており、受信した前記所定パケットベアラに対するベアラ削除要求信号内に所定フラグが設定されている場合、移動局又は無線アクセスネットワークに対して、該所定パケットベアラを解放するように指示しないように構成されていることを要旨とする。
【００２９】
本発明の第２２の特徴は、パケット交換局であって、コアネットワークに対して、所定パケットベアラに対するベアラ削除指示信号を送信するように構成されており、受信した前記所定パケットベアラに対するベアラ削除要求信号内に所定フラグが設定されている場合、移動局又は無線アクセスネットワークに対して、該所定パケットベアラを解放するように指示しないように構成されていることを要旨とする。
【発明の効果】
【００３０】
以上説明したように、本発明によれば、「ＳＲＶＣＣ」において、無駄なトラフィックの発生を回避すると共に、上述のＵＥ＃１の音声通信を適切に切り替えることができる移動通信方法、移動管理ノード、サービングゲートウェイ装置、パケットデータネットワークゲートウェイ装置、ポリシー制御装置及びパケット交換機を提供することができる。
【図面の簡単な説明】
【００３１】
【図１】本発明の第１の実施形態に係る移動通信システムの全体構成図である。
【図２】本発明の第１の実施形態に係る移動通信システムの動作を示すシーケンス図である。
【図３】本発明の第１の実施形態に係る移動通信システムの動作を示すシーケンス図である。
【図４】本発明の変更例１に係る移動通信システムの動作を示すシーケンス図である。
【図５】本発明の変更例１に係る移動通信システムの動作を示すシーケンス図である。
【図６】本発明の変更例２に係る移動通信システムの動作を示すシーケンス図である。
【図７】本発明の変更例２に係る移動通信システムの動作を示すシーケンス図である。
【図８】従来の移動通信システムの動作を示すシーケンス図である。
【発明を実施するための形態】
【００３２】
（本発明の第１の実施形態に係る移動通信システム）
図１乃至図３を参照して、本発明の第１の実施形態に係る移動通信システムについて説明する。
【００３３】
図１に示すように、本実施形態に係る移動通信システムは、Ｅ-ＵＴＲＡＮ及び移動伝達ネットワークを含むＥＰＳ（Ｅｖｏｌｖｅｄ  Ｐａｃｋｅｔ  Ｓｙｓｔｅｍ）と、ＧＥＲＡＮ/ＵＴＲＡＮ及び２Ｇ/３Ｇ方式のコアネットワークを含む２Ｇ/３Ｇ方式のシステムと、ＩＭＳとを具備している。
【００３４】
Ｅ-ＵＴＲＡＮには、ｅＮｏｄｅＢが配置されており、ＧＥＲＡＮ/ＵＴＲＡＮには、ＮｏｄｅＢ/ＢＳＳ（無線基地局）（不図示）及びＲＮＣ（無線回線制御局）が配置されている。
【００３５】
移動伝達ネットワークには、ＭＭＥや、Ｓ-ＧＷや、Ｐ-ＧＷ（ＰＤＮ-Ｇａｔｅｗａｙ、パケットデータネットワークゲートウェイ装置）や、ＰＣＲＦ（Ｐｏｌｉｃｙ  ａｎｄ  Ｃｈａｒｇｉｎｇ  Ｒｕｌｅｓ  Ｆｕｎｃｔｉｏｎ、ポリシー制御装置）や、ＨＳＳ（Ｈｏｍｅ  Ｓｕｂｓｃｒｉｂｅｒ  Ｓｅｒｖｅｒ、加入者管理サーバ）/ＨＬＲ（Ｈｏｍｅ  Ｌｏｃａｔｉｏｎ  Ｒｅｇｉｓｔｅｒ）（不図示）が配置されている。
【００３６】
２Ｇ/３Ｇ方式のコアネットワークには、ＭＳＣ（Ｍｏｂｉｌｅ-ｓｅｒｖｉｃｅ  Ｓｗｉｔｃｈｉｎｇ  Ｃｅｎｔｅｒ、回線交換機）や、ＳＧＳＮ（Ｓｅｒｖｉｎｇ  ＧＰＲＳ  Ｓｕｐｐｏｒｔ  Ｎｏｄｅ、パケット交換機）や、ＳＲＶＣＣ方式用のＭＳＣサーバや、ＣＳ-ＭＧＷ（Ｃｏｒｃｕｉｔ  Ｓｗｉｔｃｈ-Ｍｅｄｉａ  Ｇａｔｅｗａｙ、回線交換用メディアゲートウェイ装置）が配置されている。
【００３７】
ＩＭＳには、ＳＣＣ  ＡＳ（Ｓｅｒｖｉｃｅ  Ｃｅｎｔｒａｌｉｚａｔｉｏｎ  ａｎｄ  Ｃｏｎｔｉｎｕｉｔｙ  Ａｐｐｌｉｃａｔｉｏｎ  Ｓｅｒｖｅｒ）や、Ｉ/Ｓ-ＣＳＣＦ（Ｉｎｔｅｒｒｏｇａｔｉｎｇ/Ｓｅｒｖｉｎｇ  Ｃａｌｌ  Ｓｅｓｓｉｏｎ  Ｃｏｎｔｒｏｌ  Ｆｕｎｃｔｉｏｎ）や、Ｐ-ＣＳＣＦ（Ｐｒｏｘｙ  Ｃａｌｌ  Ｓｅｓｓｉｏｎ  Ｃｏｎｔｒｏｌ  Ｆｕｎｃｔｉｏｎ）等が配置されている。
【００３８】
また、本実施形態に係る移動通信システムは、ＵＥ＃１を、Ｅ-ＵＴＲＡＮ（回線交換通信をサポートしていない第１通信方式の無線アクセスネットワーク）及びＥ-ＵＴＲＡＮを収容する移動伝達ネットワークを介して音声通信用パケットベアラを用いて音声通信を行う状態から、ＵＴＲＡＮ/ＧＥＲＡＮ（回線交換通信をサポートしている第２通信方式の無線アクセスネットワーク）及びＵＴＲＡＮ/ＧＥＲＡＮを収容するコアネットワークを介して回線交換ベアラを用いて音声通信を行う状態に切り替えることによって、「ＳＲＶＣＣ」を実現することができるように構成されている。
【００３９】
以下、図２及び図３を参照して、本実施形態に係る移動通信システムの具体的な動作について説明する。
【００４０】
ここで、ＵＥ＃１は、Ｅ-ＵＴＲＡＮ及び移動伝達ネットワークを介して音声通信用パケットベアラを用いて音声通信を行う状態にあるものとする。また、本実施形態に係る移動通信システムでは、Ｓ-ＧＷとＰ-ＧＷとの間で、ＧＴＰ（ＧＰＲＳ  Ｔｕｎｎｅｌｌｉｎｇ  Ｐｒｏｔｏｃｏｌ）が用いられているものとする。
【００４１】
図２に示すように、ステップＳ１０１において、ＵＥ＃１は、Ｅ-ＵＴＲＡＮ内のｅＮＢに対して、「Ｍｅａｓｕｒｅｍｅｎｔ  Ｒｅｐｏｒｔ」を送信する。
【００４２】
ステップＳ１０２において、ｅＮＢは、ＵＥ＃１の接続先無線アクセスネットワークを、Ｅ-ＵＴＲＡＮからＵＴＲＡＮ/ＧＥＲＡＮに切り替えることを決定する。
【００４３】
ステップＳ１０３において、ｅＮＢは、ＭＭＥに対して、「Ｈａｎｄｏｖｅｒ  Ｒｅｑｕｉｒｅｄ」を送信する。
【００４４】
ＭＭＥは、ステップＳ１０４において、「Ｂｅａｒｅｒ  Ｓｐｌｉｔｔｉｎｇ」を行い、ステップＳ１０５ａにおいて、ＭＳＣサーバ/ＣＳ-ＭＧＷに対して、「ＰＳ  ｔｏ  ＣＳ  Ｒｅｑ」を送信する。
【００４５】
ステップＳ１０５ｂにおいて、ＭＳＣサーバ/ＣＳ-ＭＧＷは、ＭＳＣに対して、「Ｐｒｅｐ  ＨＯ」を送信し、ステップＳ１０５ｃにおいて、ＭＳＣは、ＵＴＲＡＮ/ＧＥＲＡＮに対して、「Ｒｅｌｏｃ/ＨＯ  Ｒｅｑ」を送信する。
【００４６】
また、ステップＳ１０６ａにおいて、ＭＭＥは、ＳＧＳＮに対して、「Ｆｏｒｗａｒｄ  Ｒｅｌｏｃ  Ｒｅｑ」を送信し、ステップＳ１０６ｂにおいて、ＳＧＳＮは、ＵＴＲＡＮ/ＧＥＲＡＮに対して、「Ｒｅｌｏｃ/ＨＯ  Ｒｅｑ」を送信する。ここで、上述の音声通信用パケットベアラ以外のパケットベアラについてのコンテキスト（Ｃｏｎｔｅｘｔ）が、ＭＭＥからＳＧＳＮに通知されるものとする。
【００４７】
ステップＳ１０７ａにおいて、ＵＴＲＡＮ/ＧＥＲＡＮは、ＳＧＳＮに対して、「Ｒｅｌｏｃ/ＨＯ  Ｒｅｑ  Ａｃｋ」を送信し、ステップＳ１０７ｂにおいて、ＳＧＳＮは、ＭＭＥに対して、「Ｆｏｒｗａｒｄ  Ｒｅｌｏｃ  Ｒｅｓｐ」を送信する。
【００４８】
ステップＳ１０８ａにおいて、ＵＴＲＡＮ/ＧＥＲＡＮは、ＭＳＣに対して、「Ｒｅｌｏｃ/ＨＯ  Ｒｅｑ  Ａｃｋ」を送信し、ステップＳ１０８ｂにおいて、ＭＳＣは、ＭＳＣサーバ/ＣＳ-ＭＧＷに対して、「Ｐｒｅｐ  ＨＯ  Ｒｅｓｐ」を送信し、ステップＳ１０８ｃにおいて、ＭＳＣサーバ/ＣＳ-ＭＧＷとＭＳＣとの間で回線が設定される。
【００４９】
ステップＳ１０９において、ＭＳＣサーバ/ＣＳ-ＭＧＷは、ＩＭＳ内のＳＣＣ  ＡＳに対して、「Ｉｎｉｔｉａｔｉｏｎ  ｏｆ  Ｓｅｓｓｉｏｎ  Ｔｒａｎｓｆｅｒ（ＳＴＮ-ＳＲ又はＥ-ＳＴＮ-ＳＲ）を送信し、ＳＣＣ  ＡＳは、ステップＳ１１０及びＳ１１１において、図２に示す処理を行う。
【００５０】
ステップＳ１１２において、ＭＳＣサーバ/ＣＳ-ＭＧＷは、ＭＭＥに対して、「ＰＳ  ｔｏ  ＣＳ  Ｒｅｓｐ」を送信する。
【００５１】
ステップ１１３において、ＭＭＥは、ｅＮＢに対して、「Ｈａｎｄｏｖｅｒ  Ｃｏｍｍａｎｄ」を送信し、ステップＳ１１４において、ｅＮＢは、ＵＥ＃１に対して、「ＨＯ  ｆｒｏｍ  ＥＵＴＲＡＮ  ｃｏｍｍａｎｄ」を送信する。
【００５２】
ＵＥ＃１は、ステップＳ１１５において、接続先無線アクセスネットワークを、Ｅ-ＵＴＲＡＮからＵＴＲＡＮ/ＧＥＲＡＮに切り替える。
【００５３】
ステップＳ１１６において、ｅＮＢやＮｏｄｅＢ/ＢＳＳやＲＮＣ等で、ＵＥ＃１の接続先無線アクセスネットワークのＥ-ＵＴＲＡＮからＵＴＲＡＮ/ＧＥＲＡＮに切り替える処理が行われる。
【００５４】
ステップＳ１１７ａにおいて、ＵＴＲＡＮ/ＧＥＲＡＮは、ＭＳＣに対して、「Ｒｅｌｏｃ/ＨＯ  Ｃｏｍｐｌｅｔｅ」を送信し、ＭＳＣは、ＭＳＣサーバ/ＣＳ-ＭＧＷに対して、ステップＳ１１７ｂにおいて、「ＳＥＳ（ＨＯ  Ｃｏｍｍａｎｄ）」を送信し、ステップＳ１１７ｃにおいて、「ＡＮＳＷＥＲ」を送信する。
【００５５】
ステップＳ１１７ｄにおいて、ＭＳＣサーバ/ＣＳ-ＭＧＷとＭＭＥとの間で「ＰＳ  ｔｏ  ＣＳ  Ｃｏｍｐｌｅｔｅ/Ａｃｋ」の送受信が行われる。
【００５６】
ステップ１１７ｅにおいて、「Ｄｅｌｅｔｅ  ｂｅａｒｅｒ（ベアラ削除処理）」が行われる。ここで、図３を参照して、かかる「Ｄｅｌｅｔｅ  ｂｅａｒｅｒ」について詳述する。
【００５７】
図３に示すように、ステップＳ１１７ｄが完了すると、ステップＳ２０１において、ＭＭＥは、Ｓ-ＧＷに対して、音声ベアラ切断情報を含む「Ｄｅｌｅｔｅ  Ｂｅａｒｅｒ  Ｃｏｍｍａｎｄ」を送信する。
【００５８】
ステップＳ２０２において、Ｓ-ＧＷは、Ｐ-ＧＷに対して、音声ベアラ切断情報を含む「Ｄｅｌｅｔｅ  Ｂｅａｒｅｒ  Ｃｏｍｍａｎｄ」を送信し、ステップＳ２０３において、Ｐ-ＧＷとＰＣＲＦとの間で、「ＰＣＥＦ  Ｉｎｉｔｉａｔｅｄ  ＩＰ-ＣＡＮ  Ｓｅｓｓｉｏｎ  Ｍｏｄｉｆｉｃａｔｉｏｎ」が行われ、ステップＳ２０４において、Ｐ-ＧＷは、Ｓ-ＧＷに対して、コアベアラ切断フラグを含む「Ｄｅｌｅｔｅ  Ｂｅａｒｅｒ  Ｒｅｑｕｅｓｔ」を送信する。
【００５９】
なお、Ｐ-ＧＷは、ＰＣＲＦに対して、音声ベアラ切断情報を通知して、かかる音声ベアラ切断情報を受信したＰＣＲＦが、Ｐ-ＧＷからＳ-ＧＷに送信される「Ｄｅｌｅｔｅ  Ｂｅａｒｅｒ  Ｒｅｑｕｅｓｔ」においてコアベアラ切断フラグを設定すべきかどうか判断し、かかる判断結果をＰ-ＧＷに指示してもよい。
【００６０】
ステップＳ２０５において、Ｓ-ＧＷは、ＭＭＥに対して、コアベアラ切断フラグを含む「Ｄｅｌｅｔｅ  Ｂｅａｒｅｒ  Ｒｅｑｕｅｓｔ」を送信する。
【００６１】
ここで、ＭＭＥは、ステップＳ２０６において、受信した「Ｄｅｌｅｔｅ  Ｂｅａｒｅｒ  Ｒｅｑｕｅｓｔ」内にコアベアラ切断フラグが設定されていることを検出した場合、ＵＥ＃１に対して、上述の音声通信用パケットベアラを解放するように指示することなく（具体的には、ｅＮＢに対して、「ＮＡＳ  Ｄｅａｃｔｉｖａｔｅ  ＥＰＳ  Ｂｅａｒｅｒ  Ｃｏｎｔｅｘｔ  Ｒｅｑｕｅｓｔ  ｍｅｓｓａｇｅ」を含む「Ｄｅａｃｔｉｖａｔｅ  Ｂｅａｒｅｒ  Ｒｅｑｕｅｓｔ」を送信することなく）、ステップＳ２０７において、Ｓ-ＧＷに対して、対象のベアラ（上述の音声通信用パケットベアラ）の削除を正常に完了したことを示す「Ｄｅｌｅｔｅ  Ｂｅａｒｅｒ  Ｒｅｓｐｏｎｓｅ」を送信する。
【００６２】
すなわち、ＭＭＥは、ステップＳ２０６において、受信した「Ｄｅｌｅｔｅ  Ｂｅａｒｅｒ  Ｒｅｑｕｅｓｔ」内にコアベアラ切断フラグが設定されていることを検出した場合には、上述した「３ＧＰＰ  ＴＳ２３.４０１の図５.４.４.１-１のステップ４〜７」の処理が行われない。
【００６３】
これに対して、ＭＭＥは、ステップＳ２０６において、受信した「Ｄｅｌｅｔｅ  Ｂｅａｒｅｒ  Ｒｅｑｕｅｓｔ」内にコアベアラ切断フラグが設定されていないことを検出した場合、従来と同様に、上述した「３ＧＰＰ  ＴＳ２３.４０１の図５.４.４.１-１のステップ４〜７」の処理が行われる。
【００６４】
なお、ＭＭＥは、ステップＳ２０５において、「Ｄｅｌｅｔｅ  Ｂｅａｒｅｒ  Ｒｅｑｕｅｓｔ」を受信した場合、音声通信用パケットベアラについて、削除してもよいし、削除しなくてもよい。
【００６５】
ステップＳ２０８において、Ｓ-ＧＷは、Ｐ-ＧＷに対して、対象のベアラ（上述の音声通信用パケットベアラ）の削除を正常に完了したことを示す「Ｄｅｌｅｔｅ  Ｂｅａｒｅｒ  Ｒｅｓｐｏｎｓｅ」を送信する。なお、Ｓ-ＧＷは、かかる「Ｄｅｌｅｔｅ  Ｂｅａｒｅｒ  Ｒｅｓｐｏｎｓｅ」に、コアネットワーク内の音声通信用パケットベアラのみを切断した旨を示す情報を付与してもよい。
【００６６】
図２に戻り、ステップＳ１１７ｆにおいて、ＭＳＣサーバ/ＣＳ-ＭＧＷは、ＨＳＳ/ＨＬＲに対して、「ＵｐｄａｔｅＬｏｃ」を送信する。
【００６７】
ステップＳ１１７ｇにおいて、ＵＥ＃１とＭＳＣサーバ/ＣＳ-ＭＧＷとの間で、「ＴＭＳＩ  Ｒｅａｌｌｏｃａｔｉｏｎ」が行われる。
【００６８】
ステップＳ１１８ａにおいて、ＵＴＲＡＮ/ＧＥＲＡＮは、ＳＧＳＮに対して、「Ｒｅｌｏｃ/ＨＯ  Ｃｏｍｐｌｅｔｅ」を送信し、ステップＳ１１８ｂにおいて、ＭＭＥとＳＧＳＮとの間で「Ｆｏｒｗａｒｄ  Ｒｅｌｏｃ  Ｃｏｍｐｌｅｔｅ/Ａｃｋ」の送受信が行われ、ステップＳ１１８ｃにおいて、ＳＧＳＮとＳ/Ｐ-ＧＷとの間で「Ｕｐｄａｔｅ  ｂｅａｒｅｒ（ベアラ更新処理）」が行われ、ステップＳ１１８ｄにおいて、「Ｄｅｌｅｔｅ  Ｓｅｓｓｉｏｎ（セッション削除処理）」が行われる。
【００６９】
かかるステップＳ１１８ａ乃至Ｓ１１８ｄにおいて、上述の音声通信用パケットベアラ以外のパケットベアラについての切り替え処理が行われる。なお、かかる手順により、ＭＭＥは、ｅＮＢに対して「Ｒｅｌｅａｓｅ  Ｒｅｓｏｕｒｃｅ」を送信することで（不図示）、ｅＮＢに保持されていた音声通信用パケットベアラを含む全てのパケットベアラを解放する。
【００７０】
ステップＳ１１９において、ＭＭＥ及びＭＳＣサーバ/ＣＳ-ＭＧＷは、ＧＭＬＣに対して、「Ｓｕｂｓｃｒｉｂｅｒ  Ｌｏｃａｔｉｏｎ  Ｒｅｐｏｒｔ」を送信する。
【００７１】
本実施形態に係る移動通信システムによれば、ＭＭＥが、受信した「Ｄｅｌｅｔｅ  Ｂｅａｒｅｒ  Ｒｅｑｕｅｓｔ」内にコアベアラ切断フラグが設定されていることを検出した場合には、上述した「３ＧＰＰ  ＴＳ２３.４０１の図５.４.４.１-１のステップ４〜７」の処理が行われないように構成されているため、「ＳＲＶＣＣ」において、無駄なトラフィックの発生を回避すると共に、上述のＵＥ＃１の音声通信を適切に切り替えることができる。
【００７２】
（変更例１）
図４を参照して、本発明の変更例１に係る移動通信システムについて説明する。以下、本変更例１に係る移動通信システムについて、上述の第１の実施形態に係る移動通信システムとの相違点に着目して説明する。
【００７３】
図４に示すように、ステップＳ１１７ｄが完了すると、ステップＳ３０１において、ＭＭＥは、Ｓ-ＧＷに対して、音声ベアラ切断情報を含む「Ｄｅｌｅｔｅ  Ｂｅａｒｅｒ  Ｃｏｍｍａｎｄ」を送信する。
【００７４】
ステップＳ３０２において、Ｓ-ＧＷは、Ｐ-ＧＷに対して、音声ベアラ切断情報を含む「Ｄｅｌｅｔｅ  Ｂｅａｒｅｒ  Ｃｏｍｍａｎｄ」を送信し、ステップＳ３０３において、Ｐ-ＧＷとＰＣＲＦとの間で、「ＰＣＥＦ  Ｉｎｉｔｉａｔｅｄ  ＩＰ-ＣＡＮ  Ｓｅｓｓｉｏｎ  Ｍｏｄｉｆｉｃａｔｉｏｎ」が行われ、ステップＳ３０４において、Ｐ-ＧＷは、Ｓ-ＧＷに対して、コアベアラ切断フラグを含む「Ｄｅｌｅｔｅ  Ｂｅａｒｅｒ  Ｒｅｑｕｅｓｔ」を送信する。
【００７５】
ここで、Ｓ-ＧＷは、ステップＳ３０５において、受信した「Ｄｅｌｅｔｅ  Ｂｅａｒｅｒ  Ｒｅｑｕｅｓｔ」内にコアベアラ切断フラグが設定されていることを検出した場合、ＭＭＥに対して、「Ｄｅｌｅｔｅ  Ｂｅａｒｅｒ  Ｒｅｑｕｅｓｔ」を送信することなく、ステップＳ３０８において、Ｐ-ＧＷに対して、対象のベアラ（上述の音声通信用パケットベアラ）の削除を正常に完了したことを示す「Ｄｅｌｅｔｅ  Ｂｅａｒｅｒ  Ｒｅｓｐｏｎｓｅ」を送信する。
【００７６】
なお、Ｓ-ＧＷは、かかる「Ｄｅｌｅｔｅ  Ｂｅａｒｅｒ  Ｒｅｓｐｏｎｓｅ」に、コアネットワーク内の音声通信用パケットベアラのみを切断した旨を示す情報を付与してもよい。
【００７７】
したがって、Ｓ-ＧＷは、ステップＳ３０５において、受信した「Ｄｅｌｅｔｅ  Ｂｅａｒｅｒ  Ｒｅｑｕｅｓｔ」内にコアベアラ切断フラグが設定されていることを検出した場合には、上述した「３ＧＰＰ  ＴＳ２３.４０１の図５.４.４.１-１のステップ３〜８」の処理が行われない。
【００７８】
これに対して、Ｓ-ＧＷは、ステップＳ３０５において、受信した「Ｄｅｌｅｔｅ  Ｂｅａｒｅｒ  Ｒｅｑｕｅｓｔ」内にコアベアラ切断フラグが設定されていないことを検出した場合、従来と同様に、ＭＭＥに対して、「Ｄｅｌｅｔｅ  Ｂｅａｒｅｒ  Ｒｅｑｕｅｓｔ」を送信するため、上述した「３ＧＰＰ  ＴＳ２３.４０１の図５.４.４.１-１のステップ３〜８」の処理が行われる。
【００７９】
本変更例１に係る移動通信システムによれば、Ｓ-ＧＷが、受信した「Ｄｅｌｅｔｅ  Ｂｅａｒｅｒ  Ｒｅｑｕｅｓｔ」内にコアベアラ切断フラグが設定されていることを検出した場合には、上述した「３ＧＰＰ  ＴＳ２３.４０１の図５.４.４.１-１のステップ３〜８」の処理が行われないように構成されているため、「ＳＲＶＣＣ」において、無駄なトラフィックの発生を回避すると共に、上述のＵＥ＃１の音声通信を適切に切り替えることができる。
【００８０】
（変更例２）
図５を参照して、本発明の変更例２に係る移動通信システムについて説明する。以下、本変更例２に係る移動通信システムについて、上述の第１の実施形態に係る移動通信システムとの相違点に着目して説明する。
【００８１】
また、本変更例２に係る移動通信システムでは、Ｓ-ＧＷとＰ-ＧＷとの間で、ＰＭＩＰ（Ｐｒｏｘｙ  Ｍｏｂｉｌｅ  ＩＰ）が用いられているものとする。
【００８２】
図５に示すように、ステップＳ１１７ｄが完了すると、ステップＳ４０１において、ＭＭＥは、Ｓ-ＧＷに対して、音声ベアラ切断情報を含む「Ｄｅｌｅｔｅ  Ｂｅａｒｅｒ  Ｃｏｍｍａｎｄ」を送信する。
【００８３】
ステップＳ４０２において、Ｓ-ＧＷは、ＰＣＲＦに対して、音声ベアラ切断情報を含む「Ｄｉａｍｅｔｅｒ  ＣＣ  Ｒｅｑｕｅｓｔ」を送信し、ステップＳ４０３において、ＰＣＲＦは、Ｓ-ＧＷに対して、コアベアラ切断フラグを含む「Ｄｉａｍｅｔｅｒ  ＣＣ  Ａｎｓｗｅｒ」を送信する。
【００８４】
ステップＳ４０４において、Ｓ-ＧＷは、ＭＭＥに対して、コアベアラ切断フラグを含む「Ｄｅｌｅｔｅ  Ｂｅａｒｅｒ  Ｒｅｑｕｅｓｔ」を送信する。
【００８５】
ここで、ＭＭＥは、ステップＳ４０５において、受信した「Ｄｅｌｅｔｅ  Ｂｅａｒｅｒ  Ｒｅｑｕｅｓｔ」内にコアベアラ切断フラグが設定されていることを検出した場合、ＵＥ＃１に対して、上述の音声通信用パケットベアラを解放するように指示することなく（具体的には、ｅＮＢに対して、「ＮＡＳ  Ｄｅａｃｔｉｖａｔｅ  ＥＰＳ  Ｂｅａｒｅｒ  Ｃｏｎｔｅｘｔ  Ｒｅｑｕｅｓｔ  ｍｅｓｓａｇｅ」を含む「Ｄｅａｃｔｉｖａｔｅ  Ｂｅａｒｅｒ  Ｒｅｑｕｅｓｔ」を送信することなく）、ステップＳ４０６において、Ｓ-ＧＷに対して、対象のベアラ（上述の音声通信用パケットベアラ）の削除を正常に完了したことを示す「Ｄｅｌｅｔｅ  Ｂｅａｒｅｒ  Ｒｅｓｐｏｎｓｅ」を送信する。
【００８６】
すなわち、ＭＭＥは、ステップＳ４０５において、受信した「Ｄｅｌｅｔｅ  Ｂｅａｒｅｒ  Ｒｅｑｕｅｓｔ」内にコアベアラ切断フラグが設定されていることを検出した場合には、上述した「３ＧＰＰ  ＴＳ２３.４０１の図５.４.４.１-１のステップ４〜７」の処理が行われない。
【００８７】
これに対して、ＭＭＥは、ステップＳ４０５において、受信した「Ｄｅｌｅｔｅ  Ｂｅａｒｅｒ  Ｒｅｑｕｅｓｔ」内にコアベアラ切断フラグが設定されていないことを検出した場合、従来と同様に、上述した「３ＧＰＰ  ＴＳ２３.４０１の図５.４.４.１-１のステップ４〜７」の処理が行われる。
【００８８】
なお、ＭＭＥは、ステップＳ４０４において、「Ｄｅｌｅｔｅ  Ｂｅａｒｅｒ  Ｒｅｑｕｅｓｔ」を受信した場合、音声通信用パケットベアラについて、削除してもよいし、削除しなくてもよい。
【００８９】
ここで、Ｓ-ＧＷは、ステップＳ４０４において、受信した「Ｄｉａｍｅｔｅｒ  ＣＣ  Ａｎｓｗｅｒ」内にコアベアラ切断フラグが設定されていることを検出した場合、ＭＭＥに対して、「Ｄｅｌｅｔｅ  Ｂｅａｒｅｒ  Ｒｅｑｕｅｓｔ」を送信せず、音声通信用パケットベアラの削除のみ実施してもよい。
【００９０】
（変更例３）
図６及び図７を参照して、本発明の変更例３に係る移動通信システムについて説明する。以下、本変更例３に係る移動通信システムについて、上述の第１の実施形態に係る移動通信システムとの相違点に着目して説明する。
【００９１】
図６に示すように、本変更例３に係る移動通信システムの動作は、ステップＳ１１３０、Ｓ１１７０及びＳ１１７ｅの動作を除いて、図２に示す本発明の第１の実施形態に係る移動通信システムの動作と同一である。
【００９２】
ここで、ステップＳ１１３０において、ＭＭＥは、ステップＳ１１３において「Ｈａｎｄｏｖｅｒ  Ｃｏｍｍａｎｄ」を送信したことを示す情報を記憶してもよい。
【００９３】
ステップＳ１１７０において、ＭＭＥは、ステップＳ１１７ｄにおいて「ＰＳ  ｔｏ  ＣＳ  Ｃｏｍｐｌｅｔｅ」を受信したことを示す所定情報、すなわち、ＵＥ＃１における接続先無線アクセスネットワークの切り替えが行われたことを示す所定情報を記憶する。
【００９４】
図７に示すように、ステップＳ１１７０が完了すると、ステップＳ５０１において、ＭＭＥは、Ｓ-ＧＷに対して、「Ｄｅｌｅｔｅ  Ｂｅａｒｅｒ  Ｃｏｍｍａｎｄ」を送信する。
【００９５】
ステップＳ２０２において、Ｓ-ＧＷは、Ｐ-ＧＷに対して、「Ｄｅｌｅｔｅ  Ｂｅａｒｅｒ  Ｃｏｍｍａｎｄ」を送信し、ステップＳ５０３において、Ｐ-ＧＷとＰＣＲＦとの間で、「ＰＣＥＦ  Ｉｎｉｔｉａｔｅｄ  ＩＰ-ＣＡＮ  Ｓｅｓｓｉｏｎ  Ｍｏｄｉｆｉｃａｔｉｏｎ」が行われ、ステップＳ５０４において、Ｐ-ＧＷは、Ｓ-ＧＷに対して、「Ｄｅｌｅｔｅ  Ｂｅａｒｅｒ  Ｒｅｑｕｅｓｔ」を送信する。
【００９６】
ステップＳ５０５において、Ｓ-ＧＷは、ＭＭＥに対して、「Ｄｅｌｅｔｅ  Ｂｅａｒｅｒ  Ｒｅｑｕｅｓｔ」を送信する。
【００９７】
ここで、ＭＭＥは、ステップＳ５０６において、「Ｄｅｌｅｔｅ  Ｂｅａｒｅｒ  Ｒｅｑｕｅｓｔ」を受信した際に、上述の所定情報（ステップＳ１１７０参照）を記憶している場合には、ＵＥ＃１に対して、上述の音声通信用パケットベアラを解放するように指示することなく（具体的には、ｅＮＢに対して、「ＮＡＳ  Ｄｅａｃｔｉｖａｔｅ  ＥＰＳ  Ｂｅａｒｅｒ  Ｃｏｎｔｅｘｔ  Ｒｅｑｕｅｓｔ  ｍｅｓｓａｇｅ」を含む「Ｄｅａｃｔｉｖａｔｅ  Ｂｅａｒｅｒ  Ｒｅｑｕｅｓｔ」を送信することなく）、ステップＳ５０７において、Ｓ-ＧＷに対して、対象のベアラ（上述の音声通信用パケットベアラ）の削除を正常に完了したことを示す「Ｄｅｌｅｔｅ  Ｂｅａｒｅｒ  Ｒｅｓｐｏｎｓｅ」を送信する。
【００９８】
すなわち、ＭＭＥは、ステップＳ５０６において、「Ｄｅｌｅｔｅ  Ｂｅａｒｅｒ  Ｒｅｑｕｅｓｔ」を受信した際に、上述の所定情報（ステップＳ１１７０参照）を記憶している場合には、上述した「３ＧＰＰ  ＴＳ２３.４０１の図５.４.４.１-１のステップ４〜７」の処理が行われない。
【００９９】
これに対して、ＭＭＥは、ステップＳ２０６において、「Ｄｅｌｅｔｅ  Ｂｅａｒｅｒ  Ｒｅｑｕｅｓｔ」を受信した際に、上述の所定情報（ステップＳ１１７０参照）を記憶していない場合には、従来と同様に、上述した「３ＧＰＰ  ＴＳ２３.４０１の図５.４.４.１-１のステップ４〜７」の処理が行われる。
【０１００】
なお、ＭＭＥは、ステップＳ５０５において、「Ｄｅｌｅｔｅ  Ｂｅａｒｅｒ  Ｒｅｑｕｅｓｔ」を受信した場合、音声通信用パケットベアラについて、削除してもよいし、削除しなくてもよい。
【０１０１】
ステップＳ５０８において、Ｓ-ＧＷは、Ｐ-ＧＷに対して、対象のベアラ（上述の音声通信用パケットベアラ）の削除を正常に完了したことを示す「Ｄｅｌｅｔｅ  Ｂｅａｒｅｒ  Ｒｅｓｐｏｎｓｅ」を送信する。
【０１０２】
なお、本変更例３に係る移動通信システムにおいて、Ｓ-ＧＷとＰ-ＧＷとの間で、ＰＭＩＰが用いられていてもよい。
【０１０３】
（変更例４）
なお、上述の第１実施形態及び変更例１乃至３に係る移動通信システムは、「ＳＲＶＣＣ」の代わりに、「３ＧＰＰ  ＴＳ２３.２３７」に規定されている「ＳＲＶＣＣ改善方式」を用いて、ＵＥ＃１を、Ｅ-ＵＴＲＡＮ及び移動伝達ネットワークを介して音声通信用パケットベアラを用いて音声通信を行う状態から、ＵＴＲＡＮ/ＧＥＲＡＮ及びコアネットワークを介して回線交換ベアラを用いて音声通信を行う状態に切り替えるように構成されていてもよい。
【０１０４】
また、上述の第１実施形態及び変更例１乃至３に係る移動通信システムは、「ＳＲＶＣＣ」或いは「ＳＲＶＣＣ改善方式」を用いて、ＰＳドメインにおいて音声通信用パケットベアラを用いて音声通信を行う状態（ＨＳＰＡにおいてＩＭＳを用いてＶｏＩＰ通信を行う状態）から、ＣＳドメインにおいて回線交換ベアラを用いて音声通信を行う状態に切り替えるように構成されていてもよい。
【０１０５】
かかる場合、ＳＧＳＮが、上述の第１実施形態及び変更例１乃至３に係る移動通信システムにおけるＭＭＥと同等の機能を具備するものとする。
【０１０６】
また、本発明は、上述の「ＳＲＶＣＣ」或いは「ＳＲＶＣＣ改善方式」が用いられていないケースに対しても適用可能である。
【０１０７】
すなわち、ＭＭＥ又はＳＧＳＮが、ベアラ切断情報を含む「Ｄｅｌｅｔｅ  Ｂｅａｒｅｒ  Ｃｏｍｍａｎｄ」を送信することによって、移動伝達ネットワーク内の所定パケットベアラのみを削除し、Ｅ-ＵＴＲＡＮ内又はＵＴＲＡＮ/ＧＥＲＡＮに対して、かかる所定パケットベアラを削除するように指示しないように構成されていてもよい。
【０１０８】
以上に述べた本実施形態の特徴は、以下のように表現されていてもよい。
【０１０９】
本実施形態の第１の特徴は、ＵＥ＃１（移動局）を、Ｅ-ＵＴＲＡＮ（回線交換通信をサポートしていない第１通信方式の無線アクセスネットワーク）及びＥ-ＵＴＲＡＮを収容する移動伝達ネットワークを介して音声通信用パケットベアラを用いて音声通信を行う状態から、ＵＴＲＡＮ/ＧＥＲＡＮ（回線交換通信をサポートしている第２通信方式の無線アクセスネットワーク）及びＵＴＲＡＮ/ＧＥＲＡＮを収容するコアネットワークを介して回線交換ベアラを用いて音声通信を行う状態に切り替える移動通信方法であって、ＵＥ＃１が、接続先無線アクセスネットワークを、Ｅ-ＵＴＲＡＮからＵＴＲＡＮ/ＧＥＲＡＮに切り替える工程と、ＭＭＥ（移動伝達ノード内の移動管理ノード）が、Ｓ-ＧＷ（移動伝達ノード内のサービングゲートウェイ装置）から、音声通信用パケットベアラに対する「Ｄｅｌｅｔｅ  Ｂｅａｒｅｒ  Ｒｅｑｕｅｓｔ（ベアラ削除要求信号）」を受信する工程と、ＭＭＥが、受信した「Ｄｅｌｅｔｅ  Ｂｅａｒｅｒ  Ｒｅｑｕｅｓｔ」内にコアベアラ切断フラグ（所定フラグ）が設定されている場合、ＵＥ＃１又はＥ-ＵＴＲＡＮに対して、音声通信用パケットベアラを解放するように指示することなく、Ｓ-ＧＷに対して、「Ｄｅｌｅｔｅ  Ｂｅａｒｅｒ  Ｒｅｑｕｅｓｔ」に対する「Ｄｅｌｅｔｅ  Ｂｅａｒｅｒ  Ｒｅｓｐｏｎｓｅ（ベアラ削除応答信号）」を送信する工程とを有することを要旨とする。
【０１１０】
本実施形態の第２の特徴は、ＵＥ＃１を、Ｅ-ＵＴＲＡＮ及びＥ-ＵＴＲＡＮを収容する移動伝達ネットワークを介して音声通信用パケットベアラを用いて音声通信を行う状態から、ＵＴＲＡＮ/ＧＥＲＡＮ及びＵＴＲＡＮ/ＧＥＲＡＮを収容するコアネットワークを介して回線交換ベアラを用いて音声通信を行う状態に切り替える移動通信方法であって、ＵＥ＃１が、接続先無線アクセスネットワークを、Ｅ-ＵＴＲＡＮからＵＴＲＡＮ/ＧＥＲＡＮに切り替える工程と、Ｓ-ＧＷが、Ｐ-ＧＷ（移動伝達ノード内のパケットデータネットワークゲートウェイ装置）から、音声通信用パケットベアラに対する「Ｄｅｌｅｔｅ  Ｂｅａｒｅｒ  Ｒｅｑｕｅｓｔ（ベアラ削除要求信号）」を受信する工程と、Ｓ-ＧＷが、受信した「Ｄｅｌｅｔｅ  Ｂｅａｒｅｒ  Ｒｅｑｕｅｓｔ」にコアベアラ切断フラグが設定されている場合、ＭＭＥに対して、音声通信用パケットベアラに対する「Ｄｅｌｅｔｅ  Ｂｅａｒｅｒ  Ｒｅｑｕｅｓｔ」を送信することなく、Ｐ-ＧＷに対して、「Ｄｅｌｅｔｅ  Ｂｅａｒｅｒ  Ｒｅｑｕｅｓｔ」に対する「Ｄｅｌｅｔｅ  Ｂｅａｒｅｒ  Ｒｅｓｐｏｎｓｅ（ベアラ削除応答信号）」を送信する工程とを有することを要旨とする。
【０１１１】
本実施形態の第３の特徴は、ＵＥ＃１を、Ｅ-ＵＴＲＡＮ及びＥ-ＵＴＲＡＮを収容する移動伝達ネットワークを介して音声通信用パケットベアラを用いて音声通信を行う状態から、ＵＴＲＡＮ/ＧＥＲＡＮ及びＵＴＲＡＮ/ＧＥＲＡＮを収容するコアネットワークを介して回線交換ベアラを用いて音声通信を行う状態に切り替える移動通信方法であって、ＵＥ＃１が、接続先無線アクセスネットワークを、Ｅ-ＵＴＲＡＮからＵＴＲＡＮ/ＧＥＲＡＮに切り替える工程と、Ｓ-ＧＷが、ＰＣＲＦ（移動伝達ノード内のポリシー制御装置）から、音声通信用パケットベアラに対する「Ｄｉａｍｅｔｅｒ  ＣＣ  Ａｎｓｗｅｒ（ベアラ削除要求信号）」を受信する工程と、Ｓ-ＧＷが、受信した「Ｄｉａｍｅｔｅｒ  ＣＣ  Ａｎｓｗｅｒ」にコアベアラ切断フラグが設定されている場合、ＭＭＥに対して、音声通信用パケットベアラに対する「Ｄｅｌｅｔｅ  Ｂｅａｒｅｒ  Ｒｅｑｕｅｓｔ」を送信しない工程とを有することを要旨とする。
【０１１２】
本実施形態の第４の特徴は、ＵＥ＃１を、Ｅ-ＵＴＲＡＮ及びＥ-ＵＴＲＡＮを収容する移動伝達ネットワークを介して音声通信用パケットベアラを用いて音声通信を行う状態から、ＵＴＲＡＮ/ＧＥＲＡＮ及びＵＴＲＡＮ/ＧＥＲＡＮを収容するコアネットワークを介して回線交換ベアラを用いて音声通信を行う状態に切り替える移動通信方法であって、ＵＥ＃１が、接続先無線アクセスネットワークを、Ｅ-ＵＴＲＡＮからＵＴＲＡＮ/ＧＥＲＡＮに切り替える工程と、ＭＭＥが、ＵＥ＃１における接続先無線アクセスネットワークの切り替えが行われたことを示す所定情報を記憶する工程と、ＭＭＥが、Ｓ-ＧＷから、音声通信用パケットベアラに対する「Ｄｅｌｅｔｅ  Ｂｅａｒｅｒ  Ｒｅｑｕｅｓｔ」を受信する工程と、ＭＭＥが、上述の所定情報を記憶している場合に、ＵＥ＃１又はＥ-ＵＴＲＡＮに対して、音声通信用パケットベアラを解放するように指示することなく、Ｓ-ＧＷに対して、「Ｄｅｌｅｔｅ  Ｂｅａｒｅｒ  Ｒｅｑｕｅｓｔ」に対する「Ｄｅｌｅｔｅ  Ｂｅａｒｅｒ  Ｒｅｓｐｏｎｓｅ」を送信する工程とを有することを要旨とする。
【０１１３】
本実施形態の第５の特徴は、ＵＥ＃１を、ＰＳ（パケット交換）ドメインにおいて音声通信用パケットベアラを用いて音声通信を行う状態から、ＣＳ（回線交換）ドメインにおいて回線交換ベアラを用いて音声通信を行う状態に切り替える移動通信方法であって、ＵＥ＃１が、音声通信を行うドメインを、ＰＳドメインからＣＳドメインに切り替える工程と、ＳＧＳＮ（パケット交換ドメイン内のパケット交換機）が、Ｓ-ＧＷ（パケット交換ドメイン内のサービングゲートウェイ装置）から、音声通信用パケットベアラに対する「Ｄｅｌｅｔｅ  Ｂｅａｒｅｒ  Ｒｅｑｕｅｓｔ」を受信する工程と、ＳＧＳＮが、受信した「Ｄｅｌｅｔｅ  Ｂｅａｒｅｒ  Ｒｅｑｕｅｓｔ」内にコアベアラ切断フラグが設定されている場合、ＵＥ＃１に対して、音声通信用パケットベアラを解放するように指示することなく、Ｓ-ＧＷに対して、「Ｄｅｌｅｔｅ  Ｂｅａｒｅｒ  Ｒｅｑｕｅｓｔ」に対する「Ｄｅｌｅｔｅ  Ｂｅａｒｅｒ  Ｒｅｓｐｏｎｓｅ」を送信する工程とを有することを要旨とする。
【０１１４】
本実施形態の第６の特徴は、ＵＥ＃１を、ＰＳドメインにおいて音声通信用パケットベアラを用いて音声通信を行う状態から、ＣＳドメインにおいて回線交換ベアラを用いて音声通信を行う状態に切り替える移動通信方法であって、ＵＥ＃１が、音声通信を行うドメインを、ＰＳドメインからＣＳドメインに切り替える工程と、Ｓ-ＧＷが、Ｐ-ＧＷから、音声通信用パケットベアラに対する「Ｄｅｌｅｔｅ  Ｂｅａｒｅｒ  Ｒｅｑｕｅｓｔ」を受信する工程と、Ｓ-ＧＷが、受信した「Ｄｅｌｅｔｅ  Ｂｅａｒｅｒ  Ｒｅｑｕｅｓｔ」内にコアベアラ切断フラグが設定されている場合、ＳＧＳＮに対して、音声通信用パケットベアラに対する「Ｄｅｌｅｔｅ  Ｂｅａｒｅｒ  Ｒｅｑｕｅｓｔ」を送信することなく、Ｐ-ＧＷに対して、「Ｄｅｌｅｔｅ  Ｂｅａｒｅｒ  Ｒｅｑｕｅｓｔ」に対する「Ｄｅｌｅｔｅ  Ｂｅａｒｅｒ  Ｒｅｓｐｏｎｓｅ」を送信する工程とを有することを要旨とする。
【０１１５】
本実施形態の第７の特徴は、ＵＥ＃１を、ＰＳドメインにおいて音声通信用パケットベアラを用いて音声通信を行う状態から、ＣＳドメインにおいて回線交換ベアラを用いて音声通信を行う状態に切り替える移動通信方法であって、ＵＥ＃１が、音声通信を行うドメインを、ＰＳドメインからＣＳドメインに切り替える工程と、Ｓ-ＧＷが、ＰＣＲＦから、音声通信用パケットベアラに対する「Ｄｉａｍｅｔｅｒ  ＣＣ  Ａｎｓｗｅｒ」を受信する工程と、Ｓ-ＧＷが、受信した「Ｄｉａｍｅｔｅｒ  ＣＣ  Ａｎｓｗｅｒ」内にコアベアラ切断フラグが設定されている場合、ＳＧＳＮに対して、音声通信用パケットベアラに対する「Ｄｅｌｅｔｅ  Ｂｅａｒｅｒ  Ｒｅｑｕｅｓｔ」を送信しない工程とを有することを要旨とする。
【０１１６】
本実施形態の第８の特徴は、ＵＥ＃１を、ＰＳドメインにおいて音声通信用パケットベアラを用いて音声通信を行う状態から、ＣＳドメインにおいて回線交換ベアラを用いて音声通信を行う状態に切り替える移動通信方法であって、ＵＥ＃１が、音声通信を行うドメインを、ＰＳドメインからＣＳドメインに切り替える工程と、ＳＧＳＮが、ＵＥ＃１において音声通信を行うドメインの切り替えが行われたことを示す所定情報を記憶する工程と、ＳＧＳＮが、Ｓ-ＧＷから、音声通信用パケットベアラに対する「Ｄｅｌｅｔｅ  Ｂｅａｒｅｒ  Ｒｅｑｕｅｓｔ」を受信する工程と、ＳＧＳＮが、所定情報を記憶している場合に、ＵＥ＃１に対して、音声通信用パケットベアラを解放するように指示することなく、Ｓ-ＧＷに対して、「Ｄｅｌｅｔｅ  Ｂｅａｒｅｒ  Ｒｅｑｕｅｓｔ」に対する「Ｄｅｌｅｔｅ  Ｂｅａｒｅｒ  Ｒｅｓｐｏｎｓｅ」を送信する工程とを有することを要旨とする。
【０１１７】
本実施形態の第９の特徴は、ＵＥ＃１を、Ｅ-ＵＴＲＡＮ及びＥ-ＵＴＲＡＮを収容する移動伝達ネットワークを介して音声通信用パケットベアラを用いて音声通信を行う状態から、ＵＴＲＡＮ/ＧＥＲＡＮ及びＵＴＲＡＮ/ＧＥＲＡＮを収容するコアネットワークを介して回線交換ベアラを用いて音声通信を行う状態に切り替えることができるように構成されている移動通信システムにおいて設けられているＭＭＥであって、ＵＥ＃１が、接続先無線アクセスネットワークを、Ｅ-ＵＴＲＡＮからＵＴＲＡＮ/ＧＥＲＡＮに切り替えた後に、Ｓ-ＧＷから、音声通信用パケットベアラに対する「Ｄｅｌｅｔｅ  Ｂｅａｒｅｒ  Ｒｅｑｕｅｓｔ」を受信するように構成されており、受信した「Ｄｅｌｅｔｅ  Ｂｅａｒｅｒ  Ｒｅｑｕｅｓｔ」内にコアベアラ切断フラグが設定されている場合、ＵＥ＃１又はＥ-ＵＴＲＡＮに対して、音声通信用パケットベアラを解放するように指示することなく、Ｓ-ＧＷに対して、「Ｄｅｌｅｔｅ  Ｂｅａｒｅｒ  Ｒｅｑｕｅｓｔ」に対する「Ｄｅｌｅｔｅ  Ｂｅａｒｅｒ  Ｒｅｓｐｏｎｓｅ」を送信するように構成されていることを要旨とする。
【０１１８】
本実施形態の第１０の特徴は、ＵＥ＃１を、Ｅ-ＵＴＲＡＮ及びＥ-ＵＴＲＡＮを収容する移動伝達ネットワークを介して音声通信用パケットベアラを用いて音声通信を行う状態から、ＵＴＲＡＮ/ＧＥＲＡＮ及びＵＴＲＡＮ/ＧＥＲＡＮを収容するコアネットワークを介して回線交換ベアラを用いて音声通信を行う状態に切り替えることができるように構成されている移動通信システムにおいて設けられているＳ-ＧＷであって、ＵＥ＃１が、接続先無線アクセスネットワークを、Ｅ-ＵＴＲＡＮからＵＴＲＡＮ/ＧＥＲＡＮに切り替えた後に、Ｐ-ＧＷから、音声通信用パケットベアラに対する「Ｄｅｌｅｔｅ  Ｂｅａｒｅｒ  Ｒｅｑｕｅｓｔ」を受信するように構成されており、受信した「Ｄｅｌｅｔｅ  Ｂｅａｒｅｒ  Ｒｅｑｕｅｓｔ」内にコアベアラ切断フラグが設定されている場合、ＭＭＥに対して、音声通信用パケットベアラに対する「Ｄｅｌｅｔｅ  Ｂｅａｒｅｒ  Ｒｅｑｕｅｓｔ」を送信することなく、Ｐ-ＧＷに対して、「Ｄｅｌｅｔｅ  Ｂｅａｒｅｒ  Ｒｅｑｕｅｓｔ」に対する「Ｄｅｌｅｔｅ  Ｂｅａｒｅｒ  Ｒｅｓｐｏｎｓｅ」を送信するように構成されていることを要旨とする。
【０１１９】
本実施形態の第１１の特徴は、ＵＥ＃１を、Ｅ-ＵＴＲＡＮ及びＥ-ＵＴＲＡＮを収容する移動伝達ネットワークを介して音声通信用パケットベアラを用いて音声通信を行う状態から、ＵＴＲＡＮ/ＧＥＲＡＮ及びＵＴＲＡＮ/ＧＥＲＡＮを収容するコアネットワークを介して回線交換ベアラを用いて音声通信を行う状態に切り替えることができるように構成されている移動通信システムにおいて設けられているＳ-ＧＷであって、ＵＥ＃１が、接続先無線アクセスネットワークを、Ｅ-ＵＴＲＡＮからＵＴＲＡＮ/ＧＥＲＡＮに切り替えた後に、ＰＣＲＦから、音声通信用パケットベアラに対する「Ｄｉａｍｅｔｅｒ  ＣＣ  Ａｎｓｗｅｒ」を受信するように構成されており、受信した「Ｄｉａｍｅｔｅｒ  ＣＣ  Ａｎｓｗｅｒ」内にコアベアラ切断フラグが設定されている場合、ＭＭＥに対して、音声通信用パケットベアラに対する「Ｄｅｌｅｔｅ  Ｂｅａｒｅｒ  Ｒｅｑｕｅｓｔ」を送信しないように構成されていることを要旨とする。
【０１２０】
本実施形態の第１２の特徴は、ＵＥ＃１を、Ｅ-ＵＴＲＡＮ及びＥ-ＵＴＲＡＮを収容する移動伝達ネットワークを介して音声通信用パケットベアラを用いて音声通信を行う状態から、ＵＴＲＡＮ/ＧＥＲＡＮ及びＵＴＲＡＮ/ＧＥＲＡＮを収容するコアネットワークを介して回線交換ベアラを用いて音声通信を行う状態に切り替えることができるように構成されている移動通信システムにおいて設けられているＰ-ＧＷであって、ＵＥ＃１が、接続先無線アクセスネットワークを、Ｅ-ＵＴＲＡＮからＵＴＲＡＮ/ＧＥＲＡＮに切り替えた後に、音声通信用パケットベアラに対する「Ｄｅｌｅｔｅ  Ｂｅａｒｅｒ  Ｒｅｑｕｅｓｔ」にコアベアラ切断フラグを設定して、ＭＭＥに対して送信するように構成されていることを要旨とする。
【０１２１】
本実施形態の第１３の特徴は、ＵＥ＃１を、Ｅ-ＵＴＲＡＮ及びＥ-ＵＴＲＡＮを収容する移動伝達ネットワークを介して音声通信用パケットベアラを用いて音声通信を行う状態から、ＵＴＲＡＮ/ＧＥＲＡＮ及びＵＴＲＡＮ/ＧＥＲＡＮを収容するコアネットワークを介して回線交換ベアラを用いて音声通信を行う状態に切り替えることができるように構成されている移動通信システムにおいて設けられているＰＣＲＦであって、ＵＥ＃１が、接続先無線アクセスネットワークを、Ｅ-ＵＴＲＡＮからＵＴＲＡＮ/ＧＥＲＡＮに切り替えた後に、音声通信用パケットベアラに対する「Ｄｉａｍｅｔｅｒ  ＣＣ  Ａｎｓｗｅｒ」にコアベアラ切断フラグを設定して、ＭＭＥに対して送信するように構成されていることを要旨とする。
【０１２２】
本実施形態の第１４の特徴は、ＵＥ＃１を、Ｅ-ＵＴＲＡＮ及びＥ-ＵＴＲＡＮを収容する移動伝達ネットワークを介して音声通信用パケットベアラを用いて音声通信を行う状態から、ＵＴＲＡＮ/ＧＥＲＡＮ及びＵＴＲＡＮ/ＧＥＲＡＮを収容するコアネットワークを介して回線交換ベアラを用いて音声通信を行う状態に切り替えることができるように構成されている移動通信システムにおいて設けられているＭＭＥであって、ＵＥ＃１が、接続先無線アクセスネットワークを、Ｅ-ＵＴＲＡＮからＵＴＲＡＮ/ＧＥＲＡＮに切り替えた後に、ＵＥ＃１における接続先無線アクセスネットワークの切り替えが行われたことを示す所定情報を記憶するように構成されており、Ｓ-ＧＷから、音声通信用パケットベアラに対する「Ｄｅｌｅｔｅ  Ｂｅａｒｅｒ  Ｒｅｑｕｅｓｔ」を受信した際に、かかる所定情報を記憶している場合には、ＵＥ＃１又はＥ-ＵＴＲＡＮに対して、音声通信用パケットベアラを解放するように指示することなく、Ｓ-ＧＷに対して、「Ｄｅｌｅｔｅ  Ｂｅａｒｅｒ  Ｒｅｑｕｅｓｔ」に対する「Ｄｅｌｅｔｅ  Ｂｅａｒｅｒ  Ｒｅｓｐｏｎｓｅ」を送信するように構成されていることを要旨とする。
【０１２３】
本実施形態の第１５の特徴は、ＵＥ＃１を、ＰＳドメインにおいて音声通信用パケットベアラを用いて音声通信を行う状態から、ＣＳドメインにおいて回線交換ベアラを用いて音声通信を行う状態に切り替えることができるように構成されている移動通信システムにおいて設けられているＳＧＳＮであって、ＵＥ＃１が、音声通信を行うドメインを、ＰＳドメインからＣＳドメインに切り替えた後、Ｓ-ＧＷから、音声通信用パケットベアラに対する「Ｄｅｌｅｔｅ  Ｂｅａｒｅｒ  Ｒｅｑｕｅｓｔ」を受信するように構成されており、受信した「Ｄｅｌｅｔｅ  Ｂｅａｒｅｒ  Ｒｅｑｕｅｓｔ」内にコアベアラ切断フラグが設定されている場合、ＵＥ＃１に対して、音声通信用パケットベアラを解放するように指示することなく、Ｓ-ＧＷに対して、「Ｄｅｌｅｔｅ  Ｂｅａｒｅｒ  Ｒｅｑｕｅｓｔ」に対する「Ｄｅｌｅｔｅ  Ｂｅａｒｅｒ  Ｒｅｓｐｏｎｓｅ」を送信するように構成されていることを要旨とする。
【０１２４】
本実施形態の第１６の特徴は、ＵＥ＃１を、ＰＳドメインにおいて音声通信用パケットベアラを用いて音声通信を行う状態から、ＣＳドメインにおいて回線交換ベアラを用いて音声通信を行う状態に切り替えることができるように構成されている移動通信システムにおいて設けられているＳ-ＧＷであって、ＵＥ＃１が、音声通信を行うドメインを、ＰＳドメインからＣＳドメインに切り替えた後、Ｐ-ＧＷから、音声通信用パケットベアラに対する「Ｄｅｌｅｔｅ  Ｂｅａｒｅｒ  Ｒｅｑｕｅｓｔ」を受信するように構成されており、受信した「Ｄｅｌｅｔｅ  Ｂｅａｒｅｒ  Ｒｅｑｕｅｓｔ」内にコアベアラ切断フラグが設定されている場合、ＳＧＳＮに対して、音声通信用パケットベアラに対する「Ｄｅｌｅｔｅ  Ｂｅａｒｅｒ  Ｒｅｑｕｅｓｔ」を送信することなく、Ｐ-ＧＷに対して、「Ｄｅｌｅｔｅ  Ｂｅａｒｅｒ  Ｒｅｑｕｅｓｔ」に対する「Ｄｅｌｅｔｅ  Ｂｅａｒｅｒ  Ｒｅｓｐｏｎｓｅ」を送信するように構成されていることを要旨とする。
【０１２５】
本実施形態の第１７の特徴は、ＵＥ＃１を、ＰＳドメインにおいて音声通信用パケットベアラを用いて音声通信を行う状態から、ＣＳドメインにおいて回線交換ベアラを用いて音声通信を行う状態に切り替えることができるように構成されている移動通信システムにおいて設けられているＳ-ＧＷであって、ＵＥ＃１が、音声通信を行うドメインを、ＰＳドメインからＣＳドメインに切り替えた後、ＰＣＲＦから、音声通信用パケットベアラに対する「Ｄｉａｍｅｔｅｒ  ＣＣ  Ａｎｓｗｅｒ」を受信するように構成されており、受信した「Ｄｉａｍｅｔｅｒ  ＣＣ  Ａｎｓｗｅｒ」内にコアベアラ切断フラグが設定されている場合、ＳＧＳＮに対して、音声通信用パケットベアラに対する「Ｄｅｌｅｔｅ  Ｂｅａｒｅｒ  Ｒｅｑｕｅｓｔ」を送信しないするように構成されていることを要旨とする。
【０１２６】
本実施形態の第１８の特徴は、ＵＥ＃１を、ＰＳドメインにおいて音声通信用パケットベアラを用いて音声通信を行う状態から、ＣＳドメインにおいて回線交換ベアラを用いて音声通信を行う状態に切り替えることができるように構成されている移動通信システムにおいて設けられているＰ-ＧＷであって、ＵＥ＃１が、音声通信を行うドメインを、ＰＳドメインからＣＳドメインに切り替えた後、音声通信用パケットベアラに対する「Ｄｅｌｅｔｅ  Ｂｅａｒｅｒ  Ｒｅｑｕｅｓｔ」にコアベアラ切断フラグを設定して、ＳＧＳＮに対して送信するように構成されていることを要旨とする。
【０１２７】
本実施形態の第１９の特徴は、ＵＥ＃１を、ＰＳドメインにおいて音声通信用パケットベアラを用いて音声通信を行う状態から、ＣＳドメインにおいて回線交換ベアラを用いて音声通信を行う状態に切り替えることができるように構成されている移動通信システムにおいて設けられているＰＣＲＦであって、ＵＥ＃１が、音声通信を行うドメインを、ＰＳドメインからＣＳドメインに切り替えた後、音声通信用パケットベアラに対する「Ｄｉａｍｅｔｅｒ  ＣＣ  Ａｎｓｗｅｒ」にコアベアラ切断フラグを設定して、ＳＧＳＮに対して送信するように構成されていることを要旨とする。
【０１２８】
本実施形態の第２０の特徴は、ＵＥ＃１を、ＰＳドメインにおいて音声通信用パケットベアラを用いて音声通信を行う状態から、ＣＳドメインにおいて回線交換ベアラを用いて音声通信を行う状態に切り替えることができるように構成されている移動通信システムにおいて設けられているＳＧＳＮであって、ＵＥ＃１が、音声通信を行うドメインを、ＰＳドメインからＣＳドメインに切り替えた後、ＵＥ＃１において音声通信を行うドメインの切り替えが行われたことを示す所定情報を記憶するように構成されており、Ｓ-ＧＷから、音声通信用パケットベアラに対する「Ｄｅｌｅｔｅ  Ｂｅａｒｅｒ  Ｒｅｑｕｅｓｔ」を受信した際に、かかる所定情報を記憶している場合には、ＵＥ＃１に対して、音声通信用パケットベアラを解放するように指示することなく、Ｓ-ＧＷに対して、「Ｄｅｌｅｔｅ  Ｂｅａｒｅｒ  Ｒｅｑｕｅｓｔ」に対する「Ｄｅｌｅｔｅ  Ｂｅａｒｅｒ  Ｒｅｓｐｏｎｓｅ」を送信するように構成されていることを要旨とする。
【０１２９】
本発明の第２１の特徴は、ＭＭＥであって、移動伝達ネットワークに対して、所定パケットベアラに対する「Ｄｅｌｅｔｅ  Ｂｅａｒｅ  Ｃｏｍｍａｎｄ（ベアラ削除指示信号）」を送信するように構成されており、受信した所定パケットベアラに対する「Ｄｅｌｅｔｅ  Ｂｅａｒｅｒ  Ｒｅｑｕｅｓｔ」内にコアベアラ切断フラグが設定されている場合、ＵＥ＃１又はＥ-ＵＴＲＡＮに対して、所定パケットベアラを解放するように指示しないように構成されていることを要旨とする。
【０１３０】
本発明の第２２の特徴は、ＳＧＳＮであって、コアネットワークに対して、所定パケットベアラに対する「Ｄｅｌｅｔｅ  Ｂｅａｒｅ  Ｃｏｍｍａｎｄ」を送信するように構成されており、受信した所定パケットベアラに対する「Ｄｅｌｅｔｅ  Ｂｅａｒｅｒ  Ｒｅｑｕｅｓｔ」内にコアベアラ切断フラグが設定されている場合、ＵＥ＃１又はＵＴＲＡＮ/ＧＥＲＡＮに対して、所定パケットベアラを解放するように指示しないように構成されていることを要旨とする。
【０１３１】
なお、上述のＵＥ＃１、ＵＥ＃２、ＵＴＲＡＮ/ＧＥＲＡＮ、ＭＳＣ、ＭＳＣサーバ、ＣＳ-ＭＧＷ、ＳＧＳＮ、Ｅ-ＵＴＲＡＮ（ｅＮＢ）、ＭＭＥ、Ｓ-ＧＷ、Ｐ-ＧＷ、Ｐ-ＣＳＣＦ、Ｉ/Ｓ-ＣＳＣＦ、ＳＣＣ  ＡＳ、ＰＣＲＦの動作は、ハードウェアによって実施されてもよいし、プロセッサによって実行されるソフトウェアモジュールによって実施されてもよいし、両者の組み合わせによって実施されてもよい。
【０１３２】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１３３】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、ＵＥ＃１、ＵＥ＃２、ＵＴＲＡＮ/ＧＥＲＡＮ、ＭＳＣ、ＭＳＣサーバ、ＣＳ-ＭＧＷ、ＳＧＳＮ、Ｅ-ＵＴＲＡＮ（ｅＮＢ）、ＭＭＥ、Ｓ-ＧＷ、Ｐ-ＧＷ、Ｐ-ＣＳＣＦ、Ｉ/Ｓ-ＣＳＣＦ、ＳＣＣ  ＡＳ、ＰＣＲＦ内に設けられていてもよい。また、かかる記憶媒体及びプロセッサは、ディスクリートコンポーネントとしてＵＥ＃１、ＵＥ＃２、ＵＴＲＡＮ/ＧＥＲＡＮ、ＭＳＣ、ＭＳＣサーバ、ＣＳ-ＭＧＷ、ＳＧＳＮ、Ｅ-ＵＴＲＡＮ（ｅＮＢ）、ＭＭＥ、Ｓ-ＧＷ、Ｐ-ＧＷ、Ｐ-ＣＳＣＦ、Ｉ/Ｓ-ＣＳＣＦ、ＳＣＣ  ＡＳ、ＰＣＲＦ内に設けられていてもよい。
【０１３４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１３５】
ＵＥ＃１、ＵＥ＃２…移動局
Ｅ-ＵＴＲＡＮ、ＵＴＲＡＮ/ＧＥＲＡＮ…無線アクセスネットワーク
ＭＳＣ…回線交換機
ＳＧＳＮ…パケット交換機
Ｓ-ＧＷ、Ｐ-ＧＷ…ゲートウェイ装置
ＭＭＥ…移動管理ノード
【図１】
2012080424.tif 000003
【図２】
2012080424.tif 000004
【図３】
2012080424.tif 000005
【図４】
2012080424.tif 000006
【図５】
2012080424.tif 000007
【図６】
2012080424.tif 000008
【図７】
2012080424.tif 000009
【図８】
2012080424.tif 000010
【手続補正書】
【提出日】平成23年10月4日(2011.10.4)
【手続補正１】
【補正対象書類名】特許請求の範囲
【補正対象項目名】全文
【補正方法】変更
【補正の内容】
【特許請求の範囲】
【請求項１】
移動局を、回線交換通信をサポートしていない第１通信方式の無線アクセスネットワーク及び該第１通信方式の無線アクセスネットワークを収容する移動伝達ネットワークを介して音声通信用パケットベアラを用いて音声通信を行う状態から、回線交換通信をサポートしている第２通信方式の無線アクセスネットワーク及び該第２通信方式の無線アクセスネットワークを収容するコアネットワークを介して回線交換ベアラを用いて音声通信を行う状態に切り替える移動通信方法であって、
前記移動局が、接続先の無線アクセスネットワークを、前記第１通信方式の無線アクセスネットワークから前記第２通信方式の無線アクセスネットワークに切り替える工程と、
前記移動伝達ネットワーク内の移動管理ノードが、前記移動局における接続先無線アクセスネットワークの切り替えが行われたことを示す所定情報を記憶する工程と、
前記移動管理ノードが、前記移動伝達ネットワーク内のサービングゲートウェイ装置から、前記音声通信用パケットベアラに対するベアラ削除要求信号を受信する工程と、
前記移動管理ノードが、前記所定情報を記憶している場合に、前記移動局又は前記第１通信方式の無線アクセスネットワークに対して、前記音声通信用パケットベアラを解放するように指示することなく、該サービングゲートウェイ装置に対して、該ベアラ削除要求信号に対するベアラ削除応答信号を送信する工程とを有することを特徴とする移動通信方法。
【請求項２】
移動局を、パケット交換ドメインにおいて音声通信用パケットベアラを用いて音声通信を行う状態から、回線交換ドメインにおいて回線交換ベアラを用いて音声通信を行う状態に切り替える移動通信方法であって、
前記移動局が、音声通信を行うドメインを、前記パケット交換ドメインから前記回線交換ドメインに切り替える工程と、
前記パケット交換ドメイン内のパケット交換機が、前記移動局において音声通信を行うドメインの切り替えが行われたことを示す所定情報を記憶する工程と、
前記パケット交換機が、前記パケット交換ドメイン内のサービングゲートウェイ装置から、前記音声通信用パケットベアラに対するベアラ削除要求信号を受信する工程と、
前記パケット交換機が、前記所定情報を記憶している場合に、前記移動局に対して、前記音声通信用パケットベアラを解放するように指示することなく、該サービングゲートウェイ装置に対して、該ベアラ削除要求信号に対するベアラ削除応答信号を送信する工程とを有することを特徴とする移動通信方法。
【請求項３】
移動局を、回線交換通信をサポートしていない第１通信方式の無線アクセスネットワーク及び該第１通信方式の無線アクセスネットワークを収容する移動伝達ネットワークを介して音声通信用パケットベアラを用いて音声通信を行う状態から、回線交換通信をサポートしている第２通信方式の無線アクセスネットワーク及び該第２通信方式の無線アクセスネットワークを収容するコアネットワークを介して回線交換ベアラを用いて音声通信を行う状態に切り替えることができるように構成されている移動通信システムにおいて、該移動伝達ネットワーク内に設けられている移動管理ノードであって、
前記移動局が、接続先の無線アクセスネットワークを、前記第１通信方式の無線アクセスネットワークから前記第２通信方式の無線アクセスネットワークに切り替えた後、該移動局における接続先無線アクセスネットワークの切り替えが行われたことを示す所定情報を記憶するように構成されており、
前記移動伝達ネットワーク内のサービングゲートウェイ装置から、前記音声通信用パケットベアラに対するベアラ削除要求信号を受信した際に、前記所定情報を記憶している場合には、前記移動局又は前記第１通信方式の無線アクセスネットワークに対して、前記音声通信用パケットベアラを解放するように指示することなく、該サービングゲートウェイ装置に対して、該ベアラ削除要求信号に対するベアラ削除応答信号を送信するように構成されていることを特徴とする移動管理ノード。
【請求項４】
移動局を、パケット交換ドメインにおいて音声通信用パケットベアラを用いて音声通信を行う状態から、回線交換ドメインにおいて回線交換ベアラを用いて音声通信を行う状態に切り替えることができるように構成されている移動通信システムにおいて、該パケット交換ドメイン内に設けられているパケット交換機であって、
前記移動局が、音声通信を行うドメインを、前記パケット交換ドメインから前記回線交換ドメインに切り替えた後、該移動局において音声通信を行うドメインの切り替えが行われたことを示す所定情報を記憶するように構成されており、
前記パケット交換ドメイン内のサービングゲートウェイ装置から、前記音声通信用パケットベアラに対するベアラ削除要求信号を受信した際に、前記所定情報を記憶している場合には、前記移動局に対して、前記音声通信用パケットベアラを解放するように指示することなく、該サービングゲートウェイ装置に対して、該ベアラ削除要求信号に対するベアラ削除応答信号を送信するように構成されていることを特徴とするパケット交換機。